(57)【要約】      （修正有）【課題】被測定者の視野の移動により生じる視野測定結果の誤差を解消できる視野測定装置を提供する。【解決手段】視野測定装置１００は、被測定者の頭部に装着されるヘッドマウント部１１０を備えている。ヘッドマウント部１１０には、被測定者の一方の目の前に位置する表示板と、被測定者の他方の目の前に位置する撮像素子が設けられている。被測定者は、表示板に設けられた順に点灯する多数の光源のどれを視認できたか、できなかったかの別を検査される。撮像素子は、被測定者の他方の目を撮像しており、各光源が点灯したときに他方の目が所定の基準点からどれだけ視線を移動したかが検出され、ずれ情報が生成される。検査結果として、各光源をずれ情報で位置補正した画像が生成される。【選択図】図１
2014128493.tif 000002
【特許請求の範囲】
【請求項１】
視野の測定を行われる被測定者の頭部に着脱自在に装着できるようになっている本体部と、
前記本体部に設けられた、前記本体部が被測定者の頭部に装着されたときに被測定者の一方の目の前に位置するようにされているとともに、光を放つことができ、それが放った光が被測定者の前記一方の目により見えるか否かにより、その位置が被測定者の前記一方の目の視野内に位置するか否かが判定される光源が被測定者の前記一方の目側の面に多数取付けられた表示面と、
前記本体部に取付けられており、前記本体部が被測定者の頭部に装着されたときに、被測定者の他方の目を撮像し、動画信号を生成するカメラと、
前記多数の光源をどのような順序で発光させるかという情報である第１情報を記録した第１記録手段と、
前記カメラから前記動画信号を受付け、その時点における被測定者の前記他方の目の視線が、被測定者の前記一方の目の前に位置する前記表示面と同様の面である仮想面が存在した場合に、当該仮想面上の所定の点である基準点からどれだけ移動しているかというずれを検出し、そのずれを特定する情報であるずれ情報を生成するずれ検出手段と、
前記第１記録手段から前記第１情報を受取るとともに、前記表示面上の多数の光源を前記第１情報により特定される順番で発光させるようになっている、光源発光手段と、
前記表示面上で発光した光源を被測定者が前記一方の目で見えたか否かを示す情報である知覚情報の入力を、前記光源が発光する度に受け付ける、入力手段と、
前記ずれ検出手段から前記ずれ情報を、前記入力手段から前記知覚情報をそれぞれ受取るとともに、前記光源のそれぞれを、それが表示されたときにおけるずれ情報で特定されるずれをキャンセルするようにそれが前記表示面の上に本来ある位置からずらし、且つその位置での前記光源の発光を被測定者が見ることができたか否かを前記知覚情報に基づき明らかにした、発光したすべての光源についての画像を含む、被測定者の視野に対応する画像についてのデータである画像データを生成する画像処理手段と、
を備えている、視野測定装置。
【請求項２】
視野の測定を行われる被測定者の頭部に着脱自在に装着できるようになっている本体部と、
前記本体部に設けられた、前記本体部が被測定者の頭部に装着されたときに被測定者の一方の目の前に位置するようにされているとともに、光を放つことができ、それが放った光が被測定者の前記一方の目により見えるか否かにより、その位置が被測定者の前記一方の目の視野内に位置するか否かが判定される光源が被測定者の前記一方の目側の面に多数取付けられた表示面と、
前記本体部に取付けられており、前記本体部が被測定者の頭部に装着されたときに、被測定者の他方の目を撮像し、動画信号を生成するカメラと、
前記多数の光源のうちのどれを発行させるかを特定する情報である第６情報を順次入力するための発光情報入力手段と、
前記カメラから前記動画信号を受付け、その時点における被測定者の前記他方の目の視線が、被測定者の前記一方の目の前に位置する前記表示面と同様の面である仮想面が存在した場合に、当該仮想面上の所定の点である基準点からどれだけ移動しているかというずれを検出し、そのずれを特定する情報であるずれ情報を生成するずれ検出手段と、
前記発光情報入力手段から第６情報を受取るとともに、前記表示面上の多数の光源のうち前記第６情報により特定されたものを順次発光させるようになっている、光源発光手段と、
前記表示面上で発光した光源を被測定者が前記一方の目で見えたか否かを示す情報である知覚情報の入力を、前記光源が発光する度に受け付ける、入力手段と、
前記ずれ検出手段から前記ずれ情報を、前記入力手段から前記知覚情報をそれぞれ受取るとともに、前記光源のそれぞれを、それが表示されたときにおけるずれ情報で特定されるずれをキャンセルするようにそれが前記表示面の上に本来ある位置からずらし、且つその位置での前記光源の発光を被測定者が見ることができたか否かを前記知覚情報に基づき明らかにした、発光したすべての光源についての画像を含む、被測定者の視野に対応する画像についてのデータである画像データを生成する画像処理手段と、
を備えている、視野測定装置。
【請求項３】
前記光源発光手段により前記表示面上で発光した光源を特定するために必要である第２情報と、当該第２情報によって特定される前記光源が前記発光したときにおける前記ずれ情報と、当該第２情報によって特定される前記光源についての前記知覚情報とを、互いに紐付けて記録する第２記録手段を備えており、
前記画像処理手段は、前記第２記録手段から、前記第２情報と、前記ずれ情報と、前記知覚情報とを読み出して、前記画像データを生成するようになっている、
請求項１又は２記載の視野測定装置。
【請求項４】
前記第１記録手段、前記ずれ検出手段、前記光源発光手段、及び前記入力手段が、前記本体部外に設けられている、
請求項１記載の視野測定装置。
【請求項５】
視野の測定を行われる被測定者の頭部に着脱自在に装着できるようになっている本体部と、
前記本体部に取付けられており、前記本体部が被測定者の頭部に装着されたときに、被測定者の一方の目の前に位置するディスプレイと、
前記本体部に取付けられており、前記本体部が被測定者の頭部に装着されたときに、被測定者の他方の目を撮像し、動画信号を生成するカメラと、
それが被測定者の前記一方の目により見えるか否かにより、それが表示された前記ディスプレイ上の位置が被測定者の前記一方の目の視野内に位置するか否かが判定される光点を前記ディスプレイのどこに表示するかという、前記ディスプレイ上の座標を特定する情報である第３情報を複数記録した第３記録手段と、
前記カメラから前記動画信号を受付け、その時点における被測定者の前記他方の目の視線が、被測定者の前記一方の目の前に位置する前記ディスプレイと同様の面である仮想面が存在した場合に、当該仮想面上の所定の点である基準点からどれだけ移動しているかというずれを検出し、そのずれを特定する情報であるずれ情報を生成するずれ検出手段と、
前記第３記録手段から前記第３情報を受取るとともに、前記ディスプレイ上の、前記第３情報により特定される座標に、前記光点を表示するようになっている、光点表示手段と、
前記ディスプレイ上に表示された光点を被測定者が前記一方の目で見えたか否かを示す情報である知覚情報の入力を、前記ディスプレイ上に前記光点が表示される度に受け付ける、入力手段と、
前記ずれ検出手段から前記ずれ情報を、前記入力手段から前記知覚情報をそれぞれ受取るとともに、前記光点のそれぞれを、それが表示されたときにおけるずれ情報で特定されるずれをキャンセルするようにそれが表示された前記ディスプレイ上の座標からずらし、且つその座標に表示された光点を被測定者が見ることができたか否かを前記知覚情報に基づき明らかにした、前記ディスプレイ上に表示されたすべての光点に対応する画像を含む、被測定者の視野に対応する画像を生成し、その被測定者の視野に対応する画像のデータである画像データを生成する画像処理手段と、
を備えている、視野測定装置。
【請求項６】
視野の測定を行われる被測定者の頭部に着脱自在に装着できるようになっている本体部と、
前記本体部に取付けられており、前記本体部が被測定者の頭部に装着されたときに、被測定者の一方の目の前に位置するディスプレイと、
前記本体部に取付けられており、前記本体部が被測定者の頭部に装着されたときに、被測定者の他方の目を撮像し、動画信号を生成するカメラと、
それが被測定者の前記一方の目により見えるか否かにより、それが表示された前記ディスプレイ上の位置が被測定者の前記一方の目の視野内に位置するか否かが判定される光点を前記ディスプレイのどこに表示するかという、前記ディスプレイ上の座標を特定する情報である第７情報を順次入力するための光点情報入力手段と、
前記カメラから前記動画信号を受付け、その時点における被測定者の前記他方の目の視線が、被測定者の前記一方の目の前に位置する前記ディスプレイと同様の面である仮想面が存在した場合に、当該仮想面上の所定の点である基準点からどれだけ移動しているかというずれを検出し、そのずれを特定する情報であるずれ情報を生成するずれ検出手段と、
前記光点情報入力手段から前記第７情報を受取るとともに、前記ディスプレイ上の、前記第７情報により特定される座標に、前記光点を順次表示するようになっている、光点表示手段と、
前記ディスプレイ上に表示された光点を被測定者が前記一方の目で見えたか否かを示す情報である知覚情報の入力を、前記ディスプレイ上に前記光点が表示される度に受け付ける、入力手段と、
前記ずれ検出手段から前記ずれ情報を、前記入力手段から前記知覚情報をそれぞれ受取るとともに、前記光点のそれぞれを、それが表示されたときにおけるずれ情報で特定されるずれをキャンセルするようにそれが表示された前記ディスプレイ上の座標からずらし、且つその座標に表示された光点を被測定者が見ることができたか否かを前記知覚情報に基づき明らかにした、前記ディスプレイ上に表示されたすべての光点に対応する画像を含む、被測定者の視野に対応する画像を生成し、その被測定者の視野に対応する画像のデータである画像データを生成する画像処理手段と、
を備えている、視野測定装置。
【請求項７】
前記光点表示手段により前記ディスプレイ上に表示された前記光点を特定するために必要である第４情報と、当該第４情報によって特定される前記光点が前記ディスプレイ上に表示されたときにおける前記ずれ情報と、当該第４情報によって特定される前記光点についての前記知覚情報とを、互いに紐付けて記録する第４記録手段を備えているとともに、
前記画像処理手段は、前記第４記録手段から、前記第４情報と、前記ずれ情報と、前記知覚情報とを読み出して、前記画像データを生成するようになっている、
請求項５又は６記載の視野測定装置。
【請求項８】
前記第３記録手段、前記ずれ検出手段、前記光点表示手段、及び前記入力手段が、前記本体部外に設けられている、
請求項５記載の視野測定装置。
【請求項９】
視野の測定を行われる被測定者の頭部に着脱自在に装着できるようになっている本体部と、
前記本体部に取付けられており、前記本体部が被測定者の頭部に装着されたときに、被測定者の一方の目の前に位置するディスプレイと、
前記本体部に取付けられており、前記本体部が被測定者の頭部に装着されたときに、被測定者の他方の目を撮像し、動画信号を生成するカメラと、
それが被測定者の前記一方の目により見えるか否かにより、それが表示された前記ディスプレイ上の位置が被測定者の前記一方の目の視野内に位置するか否かが判定される光点を前記ディスプレイのどこに表示するかという、前記ディスプレイ上の座標を特定する情報である第３情報を複数記録した第３記録手段と、
前記カメラから前記動画信号を受付け、その時点における被測定者の前記他方の目の視線が、被測定者の前記一方の目の前に位置する前記ディスプレイと同様の面である仮想面が存在した場合に、当該仮想面上の所定の点である基準点からどれだけ移動しているかというずれを検出し、そのずれを特定する情報であるずれ情報を生成するずれ検出手段と、
前記第３記録手段から前記第３情報を、前記ずれ検出手段から前記ずれ情報をそれぞれ受取るとともに、前記ディスプレイ上の、前記第３情報により特定される座標に対してその時点における前記ずれ情報により特定されるずれをキャンセルするように当該ずれを加えた座標に、前記光点を表示するようになっている、光点表示手段と、
前記ディスプレイ上に表示された光点を被測定者が前記一方の目で見えたか否かを示す情報である知覚情報の入力を、前記ディスプレイ上に前記光点が表示される度に受け付ける、入力手段と、
前記光点のそれぞれを、前記第３情報で特定される座標に配し、且つその光点を被測定者が見ることができたか否かを前記知覚情報に基づき明らかにした、前記ディスプレイ上に表示されたすべての光点に対応する画像を含む、被測定者の視野に対応する画像を生成し、その被測定者の視野に対応する画像のデータである画像データを生成する画像処理手段と、
を備えている、視野測定装置。
【請求項１０】
視野の測定を行われる被測定者の頭部に着脱自在に装着できるようになっている本体部と、
前記本体部に取付けられており、前記本体部が被測定者の頭部に装着されたときに、被測定者の一方の目の前に位置するディスプレイと、
前記本体部に取付けられており、前記本体部が被測定者の頭部に装着されたときに、被測定者の他方の目を撮像し、動画信号を生成するカメラと、
それが被測定者の前記一方の目により見えるか否かにより、それが表示された前記ディスプレイ上の位置が被測定者の前記一方の目の視野内に位置するか否かが判定される光点を前記ディスプレイのどこに表示するかという、前記ディスプレイ上の座標を特定する情報である第７情報を順次入力するための光点情報入力手段と、
前記カメラから前記動画信号を受付け、その時点における被測定者の前記他方の目の視線が、被測定者の前記一方の目の前に位置する前記ディスプレイと同様の面である仮想面が存在した場合に、当該仮想面上の所定の点である基準点からどれだけ移動しているかというずれを検出し、そのずれを特定する情報であるずれ情報を生成するずれ検出手段と、
前記光点情報入力手段から前記第７情報を、前記ずれ検出手段から前記ずれ情報をそれぞれ受取るとともに、前記ディスプレイ上の、前記第７情報により特定される座標に対してその時点における前記ずれ情報により特定されるずれをキャンセルするように当該ずれを加えた座標に、前記光点を順次表示するようになっている、光点表示手段と、
前記ディスプレイ上に表示された光点を被測定者が前記一方の目で見えたか否かを示す情報である知覚情報の入力を、前記ディスプレイ上に前記光点が表示される度に受け付ける、入力手段と、
前記光点のそれぞれを、前記第７情報で特定される座標に配し、且つその光点を被測定者が見ることができたか否かを前記知覚情報に基づき明らかにした、前記ディスプレイ上に表示されたすべての光点に対応する画像を含む、被測定者の視野に対応する画像を生成し、その被測定者の視野に対応する画像のデータである画像データを生成する画像処理手段と、
を備えている、視野測定装置。
【請求項１１】
前記光点表示手段により前記ディスプレイ上に表示された前記光点を特定するために必要な情報である第５情報と、当該第５情報によって前記ディスプレイ上に表示された座標が特定される前記光点についての前記知覚情報とを、互いに紐付けて記録する第５記録手段を備えている、
請求項９又は１０記載の視野測定装置。
【請求項１２】
前記第３記録手段、前記ずれ検出手段、前記光点表示手段、及び入力手段が、前記本体部外に設けられている、
請求項９記載の視野測定装置。
【請求項１３】
前記画像処理手段が生成した前記画像データを所定のディスプレイ装置に出力する画像出力手段を備えている、
請求項１、２、５、６、９又は１０に記載の視野測定装置。
【請求項１４】
前記本体部は、その上下を反転して用いることができるようになっており、それにより前記カメラを、被測定者の右目又は左目の前に選択的に配置することができるようになっている、
請求項１、２、５、６、９又は１０に記載の視野測定装置。
【請求項１５】
前記本体部は、その形状が略上下対称に構成されている、
請求項１４記載の視野測定装置。
【発明の詳細な説明】
【技術分野】
【０００１】
本発明は、被測定者の視野の測定を行うための視野測定装置に関する。
【背景技術】
【０００２】
例えば、被測定者の視野の適切さの確認のため、或いは視野欠損等の視野異常の発見のために被測定者の視野の測定を行う必要が生じる。視野の測定を行うため視野測定装置が実用化されている。
【０００３】
従来の一般的な視野測定装置は、次のような構成である。
視野測定装置は、半球状のドームを備えている。ドームは、その開放された円形の端面が略垂直になるように配置されている。開放された円形の端面には、例えばその上に被測定者の顎を乗せるなどして被測定者の頭部を固定する固定部がある。被測定者は、固定部に頭部を固定するとドームの内周面を覗きこむような状態となる。
ドームの内周面には、多くの場合はその全面にわたり、多数の光源が散りばめられるようにして取付けられている。光源は一般に、所定の順番で点灯するように制御される。
被測定者は、各光源が所定の順番で点灯する度に、点灯した光源が検査の対象となる右目又は左目で見えた（光源が自分の視野内にあった）か、見えなかった（光源が自分の視野内になかった）か、を申告する。かかる申告についてのデータは、被測定者自身によって、或いは医師や看護師等の補助者によって所定の入力装置を介して入力され、各光源と紐付けたデータとして所定の記録媒体に記録される。
後にその記録媒体に記録されたデータに基いて、被測定者が見えた光源と見えなかった光源を区別した、被測定者の視野に相当した画像を作成し、それをディスプレイに表示して、医師等が被測定者の視野を確認する。
【０００４】
上述の如き視野測定装置を、ヘッドマウントディスプレイタイプに変更したものも、最近では提案されている。
そのような視野測定装置は、ドーム及びその内周面に設けられた多数の光源をヘッドマウントディスプレイに置き換えたものとなっている。つまり、ヘッドマウントディスプレイのディスプレイの様々な位置に、上述の光源に対応する光点を順次表示することにより、どの光点を被測定者が見ることができ、どの光点を被測定者が見ることができなかったか、ということにより被測定者の視野を測定するのである。
【発明の概要】
【発明が解決しようとする課題】
【０００５】
上述の如き視野測定装置はいずれも、被測定者の視野を測定することができるものであり、特にドームを用いた視野測定装置は既に実用化され、普及している。
しかし、従来の視野測定装置にも改良すべき点がないわけではない。
従来の視野測定装置には誤差がつきものであり、それを小さくすべしとの要求が存在する。かかる誤差は、以下の理由により生じる。
上述のように、視野測定装置では、測定の対象になる被測定者の右目又は左目にで、光源或いは光点を見ることができたか、できなかったかを把握していくことにより被測定者の視野を測定する。このとき、光源の位置、或いは光点の位置は正確にコントロールすることができるものの、測定の対象となる被測定者の目の位置（或いは、目の向き又は視線の向き）は必ずしも一定しない。被測定者の視線が移動すると、相対的に光源の位置或いは光点の位置がずれたことになるから、これが視野測定の結果に反映され誤差が生じてしまう。
【０００６】
実際、視野測定装置にて被測定者の視野を測定するときには、正面から視線を外さないようにとの注意を被測定者に行い、視線を固定させるべく被測定者に努力してもらうというのが通例となっている。また、例えばドームの中心やヘッドマウントディスプレイのディスプレイの中心等の所定の位置に、被測定者がそこに視線を固定すべき何らかの印を設けておくか表示しておき、被測定者が視線を固定できるようにすることを補助するという試みも行なわれている。
しかしながら、被測定者の視線の移動を完全に防ぐことは難しいから、従来の視野測定装置では誤差が生じることを避けられない。
【０００７】
本願は、被測定者の視野の移動により生じる視野測定結果の誤差を解消できる視野測定装置を提供することをその課題とする。
【課題を解決するための手段】
【０００８】
本願発明者は、上述の課題を解決するために、以下のような視野測定装置を提案する。本願の視野測定装置は、便宜上、第１発明から第３発明に大別できる。
【０００９】
第１発明による視野測定装置は、視野の測定を行われる被測定者の頭部に着脱自在に装着できるようになっている本体部と、前記本体部に設けられた、前記本体部が被測定者の頭部に装着されたときに被測定者の一方の目の前に位置するようにされているとともに、光を放つことができ、それが放った光が被測定者の前記一方の目により見えるか否かにより、それが存在する位置が被測定者の前記一方の目の視野内に位置するか否かが判定される光源が被測定者の前記一方の目側の面に多数取付けられた表示面と、前記本体部に取付けられており、前記本体部が被測定者の頭部に装着されたときに、被測定者の他方の目を撮像し、動画信号を生成するカメラと、前記多数の光源をどのような順序で発光させるかという情報である第１情報を記録した第１記録手段と、前記カメラから前記動画信号を受付け、その時点における被測定者の前記他方の目の視線が、被測定者の前記一方の目の前に位置する前記表示面と同様の面である仮想面が存在した場合に、当該仮想面上の所定の点である基準点からどれだけ移動しているかというずれを検出し、そのずれを特定する情報であるずれ情報を生成するずれ検出手段と、前記第１記録手段から前記第１情報を受取るとともに、前記表示面上の多数の光源を前記第１情報により特定される順番で発光させるようになっている、光源発光手段と、前記表示面上で発光した光源を被測定者が前記一方の目で見えたか否かを示す情報である知覚情報の入力を、前記光源が発光する度に受け付ける、入力手段と、前記ずれ検出手段から前記ずれ情報を、前記入力手段から前記知覚情報をそれぞれ受取るとともに、前記光源のそれぞれを、それが表示されたときにおけるずれ情報で特定されるずれをキャンセルするようにそれが前記表示面の上に本来ある位置からずらし、且つその位置での前記光源の発光を被測定者が見ることができたか否かを前記知覚情報に基づき明らかにした、発光したすべての光源についての画像を含む、被測定者の視野に対応する画像についてのデータである画像データを生成する画像処理手段と、を備えている。
【００１０】
大雑把にいえば、この視野測定装置は、以下のような理屈により視野の測定結果の誤差を小さくする。
人間の左右の目は、病気がある場合などの一部の例外を除いて上下左右に連動して動く。この視野測定装置は、一方の目の視野を測定する際に、その一方の目と連動して動く、視野の測定が行われない側の他方の目を、一方の目の視線の移動を検出するための指標として用いる。他方の目から検出した他方の目の視線のずれを測定し、そのずれを、視野の測定結果からキャンセルする。そうすることにより、測定の対象である一方の目の視線の移動を視野の測定結果からをキャンセルすることができるので、結果として、一方の目の移動に基いて発生する視野の測定結果に生じる誤差を抑えられることになる。
その具体的な仕組みは以下の通りである。
この視野測定装置は、視野の測定時に被測定者の一方の目の前に配される表示面を備えている。表示面は、平面でも湾曲面でも構わないが、従来技術で説明したドームの内周面と同様の機能を果たすものである。表示面には多数の光源が取付けられている。この視野測定装置では、各光源を発光させた場合に、被測定者が発光した光源を見ることができたか否かによって、被測定者の視野を把握するようになっている。かかる被測定者の視野の測定の原理自体は、従来技術で説明したドームを用いる視野測定装置と変わりない。
他方、この視野測定装置は、視野の測定時に被測定者の他方の目を撮像して動画信号を生成するカメラを備えている。また、この視野測定装置は、カメラが生成した動画信号から、他方の目の視線のずれを検出し、ずれを特定する情報であるずれ情報を生成するずれ検出手段を備えている。このずれ情報を用いて、この視野測定装置は、被測定者の視線のずれをキャンセルすることができる。
視野測定装置は、前記ずれ検出手段から前記ずれ情報を、前記入力手段から前記知覚情報をそれぞれを受取るとともに、前記光源のそれぞれを、それが表示されたときにおけるずれ情報で特定されるずれをキャンセルするようにそれが前記表示面の上に本来ある位置からずらし（この場合は通常、ずれとは逆方向に光源の位置をずらすことになる）、且つその位置での前記光源の発光を被測定者が見ることができたか否かを前記知覚情報に基づき明らかにした、発光したすべての光源についての画像を含む、被測定者の視野に対応する画像についてのデータである画像データを生成する画像処理手段を備えている。画像処理手段が、被測定者の視野に対応する画像についてのデータである画像データを生成する際に、上述のずれ情報を用いて、当該画像上での光源の位置をずらすことにより、被測定者の一方の目の視線のずれによって生じる測定結果におけるずれを抑制することができる。これは即ち、一方の目の視線の移動を、他方の目の視線の移動に基いて生成されたずれ情報によりキャンセルするということである。
画像処理手段が生成した画像データにより、外部ディスプレイなどの所定のディスプレイ装置に、光源の位置を補正した後の被測定者の視野に相当する画像を表示させることにより、例えば医師が、視野の測定結果を従来より正確に把握できるようになる。
【００１１】
第１発明の視野測定装置は、以下のようなものとすることが可能である。上述のように第１発明の視野測定装置は、第１記録手段に記録された第１情報により特定された順序で光源を点灯させるようになっていた。以下の第１発明の視野装置は、第１記録手段を持たないが、第１情報に相当する第６情報を入力するための発光情報入力手段を備えており、その発光情報入力手段により入力された第６情報を第１情報の代わりに用いることにより、上述の第１発明の視野測定装置と同様に機能するようになっている。
その視野測定装置は、視野の測定を行われる被測定者の頭部に着脱自在に装着できるようになっている本体部と、前記本体部に設けられた、前記本体部が被測定者の頭部に装着されたときに被測定者の一方の目の前に位置するようにされているとともに、光を放つことができ、それが放った光が被測定者の前記一方の目により見えるか否かにより、その位置が被測定者の前記一方の目の視野内に位置するか否かが判定される光源が被測定者の前記一方の目側の面に多数取付けられた表示面と、前記本体部に取付けられており、前記本体部が被測定者の頭部に装着されたときに、被測定者の他方の目を撮像し、動画信号を生成するカメラと、前記多数の光源のうちのどれを発光させるかを特定する情報である第６情報を順次入力するための発光情報入力手段と、前記カメラから前記動画信号を受付け、その時点における被測定者の前記他方の目の視線が、被測定者の前記一方の目の前に位置する前記表示面と同様の面である仮想面が存在した場合に、当該仮想面上の所定の点である基準点からどれだけ移動しているかというずれを検出し、そのずれを特定する情報であるずれ情報を生成するずれ検出手段と、前記発光情報入力手段から第６情報を受取るとともに、前記表示面上の多数の光源のうち前記第６情報により特定されたものを順次発光させるようになっている、光源発光手段と、前記表示面上で発光した光源を被測定者が前記一方の目で見えたか否かを示す情報である知覚情報の入力を、前記光源が発光する度に受け付ける、入力手段と、前記ずれ検出手段から前記ずれ情報を、前記入力手段から前記知覚情報をそれぞれ受取るとともに、前記光源のそれぞれを、それが表示されたときにおけるずれ情報で特定されるずれをキャンセルするようにそれが前記表示面の上に本来ある位置からずらし、且つその位置での前記光源の発光を被測定者が見ることができたか否かを前記知覚情報に基づき明らかにした、発光したすべての光源についての画像を含む、被測定者の視野に対応する画像についてのデータである画像データを生成する画像処理手段と、を備えている。
【００１２】
第１発明の視野測定装置が画像データを生成する方法は上述したように、ずれ情報と、知覚情報を利用する限りどのようなものであっても良いが、例えば、以下のようなものであってもよい。
第１発明の視野測定装置は、前記光源発光手段により前記表示面上で発光した光源を特定するために必要である第２情報と、当該第２情報によって特定される前記光源が前記発光したときにおける前記ずれ情報と、当該第２情報によって特定される前記光源についての前記知覚情報とを、互いに紐付けて記録する第２記録手段を備えていてもよい。この場合、前記画像処理手段は、前記第２記録手段から、前記第２情報と、前記ずれ情報と、前記知覚情報とを読み出して、前記画像データを生成するようになっていてもよい。
第１発明の視野測定装置は、前記第１記録手段（ただし、第１記録手段がある場合に限る。）、前記ずれ検出手段、前記光源発光手段、及び前記入力手段が、前記本体部外に設けられていてもよい。
そしてこれらのうち、入力手段以外のものは、１つのケースにまとめられていてもよい。そうすることで、被測定者の頭部に装着される本体部、及びその付属品を少なくすることができるので、視野を測定するときにおける被測定者の負担を小さくすることができる。第１発明の視野測定装置が第２記録手段を備えるのであれば、第２記録手段も、第１記録手段等と同様に、本体部外に設けられていても良い。
【００１３】
本願の第２発明による視野測定装置は、視野の測定を行われる被測定者の頭部に着脱自在に装着できるようになっている本体部と、前記本体部に取付けられており、前記本体部が被測定者の頭部に装着されたときに、被測定者の一方の目の前に位置するディスプレイと、前記本体部に取付けられており、前記本体部が被測定者の頭部に装着されたときに、被測定者の他方の目を撮像し、動画信号を生成するカメラと、それが被測定者の前記一方の目により見えるか否かにより、それが表示された前記ディスプレイ上の位置が被測定者の前記一方の目の視野内に位置するか否かが判定される光点を前記ディスプレイのどこに表示するかという、前記ディスプレイ上の座標を特定する情報である第３情報を複数記録した第３記録手段と、前記カメラから前記動画信号を受付け、その時点における被測定者の前記他方の目の視線が、被測定者の前記一方の目の前に位置する前記ディスプレイと同様の面である仮想面が存在した場合に、当該仮想面上の所定の点である基準点からどれだけ移動しているかというずれを検出し、そのずれを特定する情報であるずれ情報を生成するずれ検出手段と、前記第３記録手段から前記第３情報を受取るとともに、前記ディスプレイ上の、前記第３情報により特定される座標に、前記光点を（例えば、前記第３記録手段から前記第３情報を受取る度に）表示するようになっている、光点表示手段と、前記ディスプレイ上に表示された光点を被測定者が前記一方の目で見えたか否かを示す情報である知覚情報の入力を、前記ディスプレイ上に前記光点が表示される度に受け付ける、入力手段と、前記ずれ検出手段から前記ずれ情報を、前記入力手段から前記知覚情報をそれぞれ受取るとともに、前記光点のそれぞれを、それが表示されたときにおけるずれ情報で特定されるずれをキャンセルするようにそれが表示された前記ディスプレイ上の座標からずらし、且つその座標に表示された光点を被測定者が見ることができたか否かを前記知覚情報に基づき明らかにした、前記ディスプレイ上に表示されたすべての光点に対応する画像を含む、被測定者の視野に対応する画像を生成し、その被測定者の視野に対応する画像のデータである画像データを生成する画像処理手段と、を備えている。
【００１４】
第２発明による視野測定装置は、第１発明による視野測定装置と略同様のものであるが、その表示面がディスプレイに置き換えられたものとなっている。また、第１発明による視野測定装置は、その表示面に多数の光源を備えていたが、第２発明による視野測定装置のディスプレイには光源はない。その代わりに、ディスプレイには、光源と同様の役割を担う光点が表示されるようになっている。
第２発明による視野測定装置は、第１発明による視野測定装置と同様のずれ検出手段を備えており、そしてそのずれ検出手段が第１発明による視野測定装置の場合と同様のずれ情報を生成するようになっている。
第２発明による視野測定装置は、第１発明の視野測定装置で生成されるのと同様の画像データを生成する画像処理手段を備えている。ただし、第２発明で生成される画像データによる画像中でずれ情報によってずらされるのは、各光源ではなく、各光点である。
第２発明の視野測定装置は、例えば所定の外部ディスプレイに、画像データにより、光点の位置を補正した後の被測定者の視野に相当する画像を表示させられるから、例えば医師が、視野の測定結果を従来より正確に把握できるようになる。
【００１５】
第２発明の視野測定装置は、以下のようなものとすることが可能である。上述のように第２発明の視野測定装置は、第３記録手段に記録された第３情報により特定されたディスプレイ上の座標に光点を表示するようになっていた。以下の第２発明の視野測定装置は、第３記録手段を持たないが、第３情報に相当する第７情報を入力するための光点情報入力手段を備えており、その光点情報入力手段により入力された第７情報を第３情報の代わりに用いることにより、上述の第２発明の視野測定装置と同様に機能するようになっている。
そのような第２発明の視野測定装置は、視野の測定を行われる被測定者の頭部に着脱自在に装着できるようになっている本体部と、前記本体部に取付けられており、前記本体部が被測定者の頭部に装着されたときに、被測定者の一方の目の前に位置するディスプレイと、前記本体部に取付けられており、前記本体部が被測定者の頭部に装着されたときに、被測定者の他方の目を撮像し、動画信号を生成するカメラと、それが被測定者の前記一方の目により見えるか否かにより、それが表示された前記ディスプレイ上の位置が被測定者の前記一方の目の視野内に位置するか否かが判定される光点を前記ディスプレイのどこに表示するかという、前記ディスプレイ上の座標を特定する情報である第７情報を順次入力するための光点情報入力手段と、前記カメラから前記動画信号を受付け、その時点における被測定者の前記他方の目の視線が、被測定者の前記一方の目の前に位置する前記ディスプレイと同様の面である仮想面が存在した場合に、当該仮想面上の所定の点である基準点からどれだけ移動しているかというずれを検出し、そのずれを特定する情報であるずれ情報を生成するずれ検出手段と、前記光点情報入力手段から前記第７情報を受取るとともに、前記ディスプレイ上の、前記第７情報により特定される座標に、前記光点を順次表示するようになっている、光点表示手段と、前記ディスプレイ上に表示された光点を被測定者が前記一方の目で見えたか否かを示す情報である知覚情報の入力を、前記ディスプレイ上に前記光点が表示される度に受け付ける、入力手段と、前記ずれ検出手段から前記ずれ情報を、前記入力手段から前記知覚情報をそれぞれ受取るとともに、前記光点のそれぞれを、それが表示されたときにおけるずれ情報で特定されるずれをキャンセルするようにそれが表示された前記ディスプレイ上の座標からずらし、且つその座標に表示された光点を被測定者が見ることができたか否かを前記知覚情報に基づき明らかにした、前記ディスプレイ上に表示されたすべての光点に対応する画像を含む、被測定者の視野に対応する画像を生成し、その被測定者の視野に対応する画像のデータである画像データを生成する画像処理手段と、を備えている。
【００１６】
第２発明の視野測定装置が画像データを生成する方法は上述したように、ずれ情報と、知覚情報を利用する限りどのようなものであっても良いが、例えば、以下のようなものであってもよい。
第２発明の視野測定装置は、前記光点表示手段により前記ディスプレイ上に表示された前記光点を特定するために必要である第４情報と、当該第４情報によって特定される前記光点が前記ディスプレイ上に表示されたときにおける前記ずれ情報と、当該第４情報によって特定される前記光点についての前記知覚情報とを、互いに紐付けて記録する第４記録手段を備えていてもよい。この場合、前記画像処理手段は、前記第４記録手段から、前記第４情報と、前記ずれ情報と、前記知覚情報とを読み出して、前記画像データを生成するようになっていてもよい。
第２発明の視野測定装置は、前記第３記録手段（ただし、第３記録手段がある場合に限る。）、前記ずれ検出手段、前記光点表示手段、及び前記入力手段が、前記本体部外に設けられていてもよい。
そしてこれらのうち、入力手段以外のものは、１つのケースにまとめられていてもよい。そうすることで、被測定者の頭部に装着される本体部、及びその付属品を少なくすることができるので、視野を測定するときにおける被測定者の負担を小さくすることができる。第２発明の視野測定装置が第４記録手段を備えるのであれば、第４記録手段も、第３記録手段等と同様に、本体部外に設けられていても良い。
【００１７】
本願の第３発明による視野測定装置は、視野の測定を行われる被測定者の頭部に着脱自在に装着できるようになっている本体部と、前記本体部に取付けられており、前記本体部が被測定者の頭部に装着されたときに、被測定者の一方の目の前に位置するディスプレイと、前記本体部に取付けられており、前記本体部が被測定者の頭部に装着されたときに、被測定者の他方の目を撮像し、動画信号を生成するカメラと、それが被測定者の前記一方の目により見えるか否かにより、それが表示された前記ディスプレイ上の位置が被測定者の前記一方の目の視野内に位置するか否かが判定される光点を前記ディスプレイのどこに表示するかという、前記ディスプレイ上の座標を特定する情報である第３情報を複数記録した第３記録手段と、前記カメラから前記動画信号を受付け、その時点における被測定者の前記他方の目の視線が、被測定者の前記一方の目の前に位置する前記ディスプレイと同様の面である仮想面が存在した場合に、当該仮想面上の所定の点である基準点からどれだけ移動しているかというずれを検出し、そのずれを特定する情報であるずれ情報を生成するずれ検出手段と、前記第３記録手段から前記第３情報を、前記ずれ検出手段から前記ずれ情報をそれぞれ受取るとともに、前記ディスプレイ上の、前記第３情報により特定される座標に対してその時点における前記ずれ情報により特定されるずれをキャンセルするように当該ずれを加えた座標に、前記光点を表示するようになっている、光点表示手段と、前記ディスプレイ上に表示された光点を被測定者が前記一方の目で見えたか否かを示す情報である知覚情報の入力を、前記ディスプレイ上に前記光点が表示される度に受け付ける、入力手段と、前記光点のそれぞれを、前記第３情報で特定される座標に配し、且つその光点を被測定者が見ることができたか否かを前記知覚情報に基づき明らかにした、前記ディスプレイ上に表示されたすべての光点に対応する画像を含む、被測定者の視野に対応する画像を生成し、その被測定者の視野に対応する画像のデータである画像データを生成する画像処理手段と、を備えている。
【００１８】
第３発明の視野測定装置は、第２発明の視野測定装置と同様に、ディスプレイに光点が表示されるタイプの視野測定装置である。
第３発明の視野測定装置が第２発明の視野測定装置と顕著に異なるのは、ディスプレイ上への光点の表示のさせ方である。
第２発明の視野測定装置と第３発明の視野測定装置はともに、光点表示手段を備えている。第２発明の光点表示手段は、第３記録手段から第３情報を受取るとともに、ディスプレイ上の、第３情報により特定される座標に、光点を表示するようになっている。つまり、この光点表示手段は、ディスプレイ上の座標を特定する第３情報で特定された座標に、言い換えれば、当初から予定されていたディスプレイ上の座標に、光点を順に表示するようなものとなっている。他方、第３発明の視野測定装置も光点表示手段を備えているが、その光点表示手段は、第３記録手段から第３情報を、ずれ検出手段からずれ情報をそれぞれ受取るとともに、ディスプレイ上の、第３情報により特定される座標に対してその時点における前記ずれ情報により特定されるずれを加えた座標に、光点を表示するようなものとなっている。
つまり、第３発明の視野測定装置では、ディスプレイに表示される光点の位置は、第３情報により特定される座標ではなく、第３情報により特定される座標にその時点におけるずれ情報によって特定されるずれを更に加えて算出される座標となる。言い換えれば、第３発明の視野測定装置では、ディスプレイに表示される光点は、その時点のユーザの視線の移動を反映させた、本来光点が表示されることが予定された座標からずらされた座標に表示されることなる。これにより、被測定者の視線の移動はキャンセルされる。
第３発明の視野測定装置は、また、前記光点のそれぞれを、第３情報で特定される座標に配し、且つその光点を被測定者が見ることができたか否かを前記知覚情報に基づき明らかにした、前記ディスプレイ上に表示されたすべての光点に対応する画像を含む、被測定者の視野に対応する画像を生成し、その被測定者の視野に対応する画像のデータである画像データを生成する画像処理手段を備えている。第３発明では光点は、ディスプレイに表示される際に既にその位置を修正されているので、画像処理手段が生成する画像に含まれる各光点の位置は、第３情報で特定される位置そのままで構わない。
第３発明の視野測定装置が、画像データによって、例えば所定の外部ディスプレイに表示させる画像は、被測定者の目の動きをキャンセルしたものとなっているから、例えば医師が、視野の測定結果を従来より正確に把握できるようになる。
【００１９】
第３発明の視野測定装置は、第２発明の視野測定装置の場合と同様に、第３情報の代わりに第７情報を利用するものとすることができる。この場合の第３発明の視野測定装置は、第２の視野測定装置の場合と同様に、第３記録手段の代わりに光点情報入力手段を備えている。
そのような第３発明の視野測定装置は、視野の測定を行われる被測定者の頭部に着脱自在に装着できるようになっている本体部と、前記本体部に取付けられており、前記本体部が被測定者の頭部に装着されたときに、被測定者の一方の目の前に位置するディスプレイと、前記本体部に取付けられており、前記本体部が被測定者の頭部に装着されたときに、被測定者の他方の目を撮像し、動画信号を生成するカメラと、それが被測定者の前記一方の目により見えるか否かにより、それが表示された前記ディスプレイ上の位置が被測定者の前記一方の目の視野内に位置するか否かが判定される光点を前記ディスプレイのどこに表示するかという、前記ディスプレイ上の座標を特定する情報である第７情報を順次入力するための光点情報入力手段と、前記カメラから前記動画信号を受付け、その時点における被測定者の前記他方の目の視線が、被測定者の前記一方の目の前に位置する前記ディスプレイと同様の面である仮想面が存在した場合に、当該仮想面上の所定の点である基準点からどれだけ移動しているかというずれを検出し、そのずれを特定する情報であるずれ情報を生成するずれ検出手段と、前記光点情報入力手段から前記第７情報を、前記ずれ検出手段から前記ずれ情報をそれぞれ受取るとともに、前記ディスプレイ上の、前記第７情報により特定される座標に対してその時点における前記ずれ情報により特定されるずれをキャンセルするように当該ずれを加えた座標に、前記光点を順次表示するようになっている、光点表示手段と、前記ディスプレイ上に表示された光点を被測定者が前記一方の目で見えたか否かを示す情報である知覚情報の入力を、前記ディスプレイ上に前記光点が表示される度に受け付ける、入力手段と、前記光点のそれぞれを、前記第７情報で特定される座標に配し、且つその光点を被測定者が見ることができたか否かを前記知覚情報に基づき明らかにした、前記ディスプレイ上に表示されたすべての光点に対応する画像を含む、被測定者の視野に対応する画像を生成し、その被測定者の視野に対応する画像のデータである画像データを生成する画像処理手段と、を備えている。
【００２０】
第３発明の視野測定装置が画像データを生成する方法は、例えば、以下のようなものであってもよい。
第３発明の視野測定装置は、第５記録手段を持っていても良い。この第５記録手段は、前記光点表示手段により前記ディスプレイ上に表示された前記光点を特定するために必要な情報である第５情報（又は光点情報）と、当該第５情報（又は光点情報）によって前記ディスプレイ上に表示された座標が特定される前記光点についての前記知覚情報とを、互いに紐付けて記録するものとなっていてもよい。
この場合、画像処理手段は、第５記録手段から知覚情報を読み込んで、上述した画像データを生成する。第３情報は、例えば、第３記録手段から読み出せばよいし、光点情報を用いる場合であれば、画像処理手段は予め光点情報を光点情報入力手段から受けとっていても良い。
第３発明の視野測定装置は、前記第３記録手段（ただし、第３記録手段がある場合に限る。）、前記ずれ検出手段、前記光点表示手段、及び前記入力手段が、前記本体部外に設けられていてもよい。
そしてこれらのうち、入力手段以外のものは、１つのケースにまとめられていてもよい。そうすることで、被測定者の頭部に装着される本体部、及びその付属品を少なくすることができるので、視野を測定するときにおける被測定者の負担を小さくすることができる。第３発明の視野測定装置が第５記録手段を備えるのであれば、第５記録手段も、第３記録手段等と同様に、本体部外に設けられていても良い。
【００２１】
第１発明〜第３発明の視野測定装置における前記本体部は、その上下を反転して用いることができるようになっており、それにより前記カメラを、被測定者の右目又は左目の前に選択的に配置することができるようになっていてもよい。そうすることで、１つの本体部を用いて、被測定者の右目と左目の両方の視野の測定が可能となる。
前記本体部は、その形状が略上下対称に構成されていても良い。そのような本体部であれば、本体部をその上下を反転して用いる場合に被測定者が本体部を頭部に装着しやすく、また、見栄えも良い。
第１発明〜第３発明の視野測定装置は、上述の画像データを記録する記録手段を持っていても良い。その記録手段から読み出した画像データによる画像を、所定のディスプレイに表示させることにより、医師等は事後的にその画像を確認できる。その記録手段が視野測定装置に対して着脱自在な可搬の記録媒体であれば、医師等が上記画像を確認する場合の時間、場所についての制約が小さくなる。
また、第１発明〜第３発明の視野測定装置は、前記画像処理手段が生成した前記画像データを所定のディスプレイ装置に出力する画像出力手段を備えていてもよい。被測定者が視野測定を行なっているその場で医師等が画像を見るには、この構成が便利である。この場合にも上記の如き記録手段を視野測定装置が持っていることは当然あり得る。
【図面の簡単な説明】
【００２２】
【図１】本発明の第１実施形態に係る視野測定装置の全体の構成を概略的に示す図。
【図２】図１に示した視野測定装置のヘッドマウント部を拡大して示す斜視図。
【図３】図１に示した視野測定装置の第１突出部の構成を示す断面図。
【図４】図１に示した視野測定装置の表示面の構成を示す背面図。
【図５】図１に示した視野測定装置の第２突出部の構成を示す断面図。
【図６】図１に示した視野測定装置の制御ボックス内のハードウエア構成を示す図。
【図７】図１に示した視野測定装置の制御ボックス内に生成される機能ブロックを示すブロック図。
【図８】図１に示した視野測定装置の第１記録部に記録された情報を示す図。
【図９】図１に示した視野測定装置の撮像素子で撮像される仮想面を観念的に示す図。
【図１０】図１に示した視野測定装置の第２記録部に記録される情報を示す図。
【図１１】図１に示した視野測定装置の画像処理部で生成される画像データによる画像の一部を示す図。
【図１２】第２実施形態の視野測定装置の第１突出部の構成を示す断面図。
【図１３】第２実施形態の視野測定装置の制御ボックス内に生成される機能ブロックを示すブロック図。
【図１４】第２実施形態の視野測定装置の第３記録部に記録される情報を示す図。
【図１５】第２実施形態の視野測定装置のディスプレイ上における座標の概念を説明するための図。
【図１６】第２実施形態の視野測定装置の第４記録部に記録される情報を示す図。
【図１７】第２実施形態の視野測定装置の第４記録部に記録される他の例の情報を示す図。
【図１８】第３実施形態の視野測定装置の制御ボックス内に生成される機能ブロックを示すブロック図。
【図１９】第３実施形態の視野測定装置の第５記録部に記録される情報を示す図。
【図２０】第３実施形態の視野測定装置の制御ボックス内に生成される他の例の機能ブロックを示すブロック図。
【図２１】第４実施形態の視野測定装置の制御ボックス内に生成される機能ブロックを示すブロック図。
【図２２】第５実施形態の視野測定装置の制御ボックス内に生成される機能ブロックを示すブロック図。
【図２３】第６実施形態の視野測定装置の制御ボックス内に生成される機能ブロックを示すブロック図。
【発明を実施するための形態】
【００２３】
以下、本発明の第１〜第６実施形態を、図面を参照しながら詳細に説明する。
なお、各実施形態において共通する対象には共通の符号を付すこととし、共通する説明は場合により省略するものとする。
【００２４】
≪第１実施形態≫
図１に、本願の視野測定装置１００を示す。この実施形態の視野測定装置１００は、ディスプレイ装置Ｄと組合せて用いられる。ディスプレイ装置Ｄは、液晶ディスプレイ等の市販品で良いが、画像についてのデータの入力を受付けるための入力端子を備えている。
【００２５】
視野測定装置１００は、視野の測定を行う被測定者の頭部に装着されるヘッドマウント部１１０と、制御ボックス１５０とを備えている。
ヘッドマウント部１１０と制御ボックス１５０は、第１ケーブルＣ１と第２ケーブルＣ２で接続されている。制御ボックス１５０には、また、その先端側に入力装置１９０が接続された第３ケーブルＣ３の基端側が接続されている。
制御ボックス１５０には、また、上述のディスプレイ装置ＤがケーブルＣ４を介して接続されている。
【００２６】
ヘッドマウント部１１０の構成を、図２の斜視図に拡大して示している。
ヘッドマウント部１１０は、その使用時に被測定者の眼前に固定されるマスク１１１を備えている。マスク１１１は、必ずしもこの限りではないが樹脂製である。マスク１１１は、また、必ずしもこの限りではないが板状であり、その両端が人の顔の曲面に沿うように湾曲させられている。また、マスク１１１の長さ方向の中心には、ヘッドマウント部１１０が被測定者の頭部に固定されたときにマスク１１１が被測定者の鼻と干渉するのを防止するための切欠き１１２が設けられている。切欠き１１２はマスク１１１の上下に一対設けられている。これは、後述するように、ヘッドマウント部１１０は上下を逆にして使用されることが意図されているからである。ヘッドマウント部１１０がいずれの向きであったにしろ、その時下に位置する切欠き１１２が、マスク１１１と被測定者の鼻が干渉することを防ぐ。
図２では図示を省略しているが、マスク１１１の後には、ヘッドマウント部１１０を被測定者の頭部に着脱自在に固定するためのベルト１１３（図１参照。）が設けられている。ベルト１１３は、ゴーグルなどで極普通に採用される構成を備えるもので良く、適当な幅であり適当な伸縮性を備えるものとすることができる。ベルト１１３は、ヘッドマウント部１１０の被測定者の頭部への固定ができる他の手段、例えば眼鏡のテンプルのようなものに置換することもできる。
【００２７】
マスク１１１の前面（図２における手前側であり、ヘッドマウント部１１０が被測定者の頭部に装着されたときにおける被測定者の顔から遠い側の面である。）には、必ずしもこの限りではないが、この実施形態では正四角柱形状とされた、第１突出部１１４、及び第２突出部１１５が設けられている。
第１突出部１１４と第２突出部１１５は、ヘッドマウント部１１０の上下をひっくり返すことによりその位置関係が逆転するが、ヘッドマウント部１１０が被測定者の頭部に装着された場合に、その一方が被測定者の右目の前に、その他方が被測定者の左目の前に位置するようになっている。このとき、第１突出部１１４の後に位置するのが本願でいう一方の目であり、第２突出部１１５の後に位置するのが本願でいう他方の目である。
第１突出部１１４及び第２突出部１１５はともに、マスク１１１の前面から垂直に突出している。第１突出部１１４の前面にケーブルＣ１が、第２突出部１１５の前面にケーブルＣ２が、それぞれ接続されている。
マスク１１１の形状は、第１突出部１１４、第２突出部１１５を含め、左右対称であり、且つ上下対称である。
【００２８】
図３に、第１突出部１１４付近の構成を断面図にて示す。
第１突出部１１４は、図３に示したように筒状であり、またマスク１１１の後面側が開口している。第１突出部１１４の中には、この実施形態では樹脂製であり、板状に生成された表示板１１４Ａが設けられている。表示板１１４Ａの第１突出部１１４の開口側の面が本願における表示面１１４Ａ１である。
第１突出部１１４の開口部分には、第１レンズ１１４Ｂが設けられている。第１レンズ１１４Ｂは、この視野測定装置１００の使用時において、表示板１１４Ａの表示面１１４Ａ１に設けられた後述の光源からの光を、第１突出部１１４をその眼前に位置させる側の被測定者の目へ、像光を拡大して結像させる機能を有している。それが可能である限り、第１レンズ１１４Ｂは必ずしも第１突出部１１４の開口部分に配されている必要はないし、複数枚のレンズで構成されていてもよい。
【００２９】
表示面１１４Ａ１を拡大して図示した背面図を図４に示す。
表示面１１４Ａ１には、多数の光源１１４Ｃが設けられている。光源１１４Ｃは、これには限られないが、この実施形態ではＬＥＤである。光源１１４Ｃの形状は例えば円形であり、第１レンズ１１４Ｂを通して被測定者がそれを見た時の視野角が、上下方向、左右方向ともに数度程度の大きさとなるようにされている。表示面１１４Ａ１に設けられた光源１１４Ｃは、その全部の光源１１４Ｃを見ることができたのであれば、被測定者の視野が正常と一般的に判断できるような範囲に、適当な数だけ散りばめられている。光源１１４Ｃを表示面１１４Ａ１に何個、どのようなパターンで散りばめるかについては、例えばドームを備えた視野測定装置で用いられていた技術を応用して決定すればよい。
光源１１４Ｃの数は、この実施形態では、６１個である。光源１１４Ｃは上段の左側から順に、１、２、３、…５９、６０、６１と連番が振られており、それに振られた数字により各光源１１４Ｃは、他の光源１１４Ｃから区別され、特定される。図４中で光源１１４Ｃのそれぞれには、途中を省略しているが、１〜６１の数字が振られているが、これが上述した数字である。もっとも、図４で各光源１１４Ｃに振られた数字は観念的なものであり、実際の光源１１４Ｃには数字が印字されているわけではない。
各光源１１４Ｃは、ケーブルＣ１の中の接続線Ｃ１１と接続されている。各光源１１４Ｃは、接続線Ｃ１１を介して制御ボックス１５０から送られてくる信号による後述する制御を受け、この実施形態では１つずつ発光するようになっている。
【００３０】
図５に、第２突出部１１５付近の構成を断面図にて示す。
第２突出部１１５は、図５に示したように筒状であり、またマスク１１１の後面側が開口している。第２突出部１１５の中には、例えば、ＣＣＤ（Ｃｈａｒｇｅ  Ｃｏｕｐｌｅｄ  Ｄｅｖｉｃｅ）、或いはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）である撮像素子１１５Ａが配されている。撮像素子１１５Ａは、視野測定装置１００の使用時において、撮像素子１１５Ａの前に位置する目を撮像して目を含む画像についての動画信号を生成する。
撮像素子１１５Ａは、接続線Ｃ２１と接続されている。撮像素子１１５Ａが生成した上述の動画信号は、接続線Ｃ２１を介して、制御ボックス１５０に送られるようになっている。
第２突出部１１５の開口部分には、第２レンズ１１５Ｂが設けられている。第２レンズ１１５Ｂは、被測定者の目からの像光を、撮像素子１１５Ａに結像させるためのものである。それが可能である限り、第２レンズ１１５Ｂは必ずしも第２突出部１１５の開口部分に配されている必要もないし、複数枚のレンズで構成されていてもよい。
【００３１】
次に、入力装置１９０の構成について説明する。
入力装置１９０は、後述する知覚情報を入力するための装置である。知覚情報は、各光源１１４Ｃが点灯した場合に、被測定者がその光源１１４Ｃを見えたか否かを特定するための情報である。この情報は、被測定者がその光源１１４Ｃが点灯したのを見ることができたという情報と、被測定者がその光源１１４Ｃが点灯したのを見ることができなかったという情報の一方又は双方を入力できるように構成されている。
これには限られないが、この実施形態の入力装置１９０は、被測定者がその光源１１４Ｃが点灯したのを見ることができたという情報と、被測定者がその光源１１４Ｃが点灯したのを見ることができなかったという情報の双方を入力できるように、それら２つの入力にそれぞれ対応した２つのボタン１９１を備えている。
光源１１４Ｃが点灯するたびに、被測定者は、いずれかのボタン１９１を押して、上記２つの情報のいずれかを入力する。
入力された知覚情報は、ケーブルＣ３を介して制御ボックス１５０へ送られる。
【００３２】
次に、制御ボックス１５０の構成について説明する。
制御ボックス１５０は、ケース１５１に、種々の部品を取付け、或いは内蔵させてなる。
制御ボックス１５０には、図６に示したような構成のハードウエア１５２が内蔵されている。制御ボックス１５０に内蔵されるハードウエア１５２は、ＣＰＵ１５２Ａ、ＲＯＭ１５２Ｂ、ＲＡＭ１５２Ｃ、インターフェイス１５２Ｄ、及びこれらを互いに接続するバス１５２Ｅである。
ＣＰＵ１５２Ａは、演算を行う演算装置である。ＣＰＵ１５２Ａは、例えば、ＲＯＭ１５２Ｂに記録されたプログラムを実行することにより、後述する処理を実行する。ＲＯＭ１５２Ｂは、ＣＰＵ１５２Ａが後述する処理を実行するために必要なプログラムやデータを記録している。ＲＡＭ１５２Ｃは、ＣＰＵ１５２Ａが処理を行うために必要なワーク領域を提供する。また、ＲＡＭ１５２Ｃには、ＣＰＵ１５２Ａが処理を行った結果生成されたデータが記録されうる。インターフェイス１５２Ｄは、バス１５２Ｅと外部との間でデータのやり取りを行うものである。インターフェイス１５２Ｄには、ケーブルＣ１（より正確には、その中の接続線Ｃ１１）、ケーブルＣ２（より正確には、その中の接続線Ｃ２１）、ケーブルＣ３、及びケーブルＣ４が、例えば所定の接続端子を介して接続されている。バス１５２ＥからケーブルＣ１には、光源１１４Ｃを制御するための後述する光源制御データが送られ、また、バス１５２ＥからケーブルＣ４へはディスプレイ装置Ｄに画像を表示させるための画像データが送られる。また、ケーブルＣ２からバス１５２Ｅへはインターフェイス１５２Ｄを介して動画信号が、また、ケーブルＣ３からバス１５２Ｅへはインターフェイス１５２Ｄを介して後述する知覚情報が、それぞれ送られる。
【００３３】
ＣＰＵ１５２Ａがプログラムを実行することにより、制御ボックス１５０内には、図７で示されたような機能ブロックが生成される。
制御ボックス１５０内に生成される機能ブロックは、第１記録部１５３Ａ、光源制御部１５３Ｂ、動画信号受付部１５３Ｃ、ずれ検出部１５３Ｄ、知覚情報受付部１５３Ｅ、読み書き部１５３Ｆ、第２記録部１５３Ｇ、及び画像処理部１５３Ｈである。
【００３４】
第１記録部１５３Ａは、光源１１４Ｃをどの順番で点灯させるか、ということについての情報が記録されている。この情報は、各光源１１４Ｃに付された数字の羅列で十分である。その例を図８に示す。
例えば、Ａの情報は、１〜６１までの６１個の数字を、１、３０、５、４２、９、１１、５９、６１、……５１、２０というように羅列したものであるが、この情報によれば、まず、１の数字の付された光源１１４Ｃを、次に、３０の数字の付された光源１１４Ｃを、次に５の数字の付された光源１１４Ｃを、次に４２の符号の付された光源１１４Ｃを、……次に、５１の数字の付された光源１１４Ｃを、そして最後に２０の数字の付された光源１１４Ｃを点灯させるという指示を示すものとなっている。
このような光源１１４Ｃをどのような順番で点灯させるか、ということについての情報は、少なくとも１つ（或いは１組）第１記録部１５３Ａに記録されていれば良いが、この実施形態では、一人の被測定者が何回か視野の測定を行うときに光源１１４Ｃの点灯の順番を覚えてしまうことによる視野の測定の結果の信頼性の低下に対処するため、Ａ〜Ｃの３つ（或いは３組）の情報が第１記録部１５３Ａに記録されている。この実施形態の光源制御部１５３Ｂはこれら３つの情報のうちの１つを、被測定者の視野測定が行なわれる度に、所定の順番で読みだして用いるようになっている。もちろん、光源１１４Ｃをどのタイミングで点灯させるか、ということについての情報はもっと多くても構わないし、例えば乱数を用いてランダムで発生させるようにすることもできる。その場合、第１記録部１５３Ａには、その乱数を発生させるための初期値やアルゴリズムが記録されることになるが、それが光源１１４Ｃをどのような順番で点灯させるか、ということについての情報ということになる。
光源１１４Ｃをどの順番で点灯させるか、ということについての情報は、光源制御部１５３Ｂに送られるようになっている。
【００３５】
光源制御部１５３Ｂは、光源１１４Ｃをどの順番で点灯させるか、ということについての情報を受取り、その情報が指定する順番で、光源１１４Ｃを順に点灯させるようになっている。上述の情報の組みは、一括して受け取るようになっていても構わないし、そうでなくても良い。
つまり、Ａの情報は、上述した通り、１〜６１までの６１個の数字を、１、３０、５、４２、９、１１、５９、６１、……５１、２０というように羅列したものであるが、光源制御部１５３Ｂは６１個分の数字の情報を予め読み込んで、その情報に基いて指定された順に、各光源１１４Ｃを順に点灯させるようになっていても良いし、６１個分の数字の情報のうちの各数字の情報を数字１つ分ずつ読み込んで、数字の情報を読み込むたびに読み込んだ数字で指定された光源１１４Ｃを点灯させるようになっていても良い。各光源１１４Ｃの点灯時間は、例えば、０．１秒〜１秒である。
また、各光源１１４Ｃを光源制御部１５３Ｂが点灯させるタイミングは、例えば、一定の時間間隔ごとであっても良いし、後述する知覚情報が制御ボックス１５０に入力された後更に所定の時間（例えば、２秒、或いは３秒）経過後であっても良い。後者の場合には、後述するように知覚情報受付部１５３Ｅが知覚情報を受付けた場合に、知覚情報受付部１５３Ｅはその旨を光源制御部１５３Ｂに通知するようなものにすれば良い。
光源制御部１５３Ｂは、ケーブルＣ１を介して光源の点灯、消灯を制御する信号である制御信号を送り、光源１１４Ｃの点灯、消灯を制御する。
また、光源制御部１５３Ｂは、各光源１１４Ｃをいつ点灯させるかという情報を、読み書き部１５３Ｆに順次送る。この情報は、例えば、光源１１４Ｃに割り振られた６１個分の数字の情報として読み書き部１５３Ｆに送られるが、この情報はこの実施形態では、次に点灯させる光源１１４Ｃについての数字を１つずつ読み書き部１５３Ｆに送る、という方法で読み書き部１５３Ｆに送られる。この実施形態では、光源制御部１５３Ｂが、次に点灯させる光源１１４Ｃの情報を読み書き分１５３Ｅに送ってから所定時間（例えば２秒）経過した後に、読み書き部１５３Ｆに送られた情報で特定される光源１１４Ｃが点灯するようになっている。
【００３６】
動画信号受付部１５３Ｃは、撮像素子１１５Ａが生成した動画信号を受付けるものである。動画信号受付部１５３Ｃは、受付けた動画信号をずれ検出部１５３Ｄへ送るようになっている。
ずれ検出部１５３Ｄは、被測定者の目のうち撮像素子１１５Ａで撮像されているものが、その時点で、所定の基準点からどの程度ずれているかを検出する。この場合検出されるずれは、表示面１１４Ａ１と同様の面が撮像素子１１５Ａで撮像されている側の目の前に存在すると仮定した場合に、その仮想の面の上にある基準点からどれだけ上下、或いは左右に移動しているかというものである。この実施形態における基準点は、撮像されている側の目（他方の目）から真正面に伸びる線が、上述の仮想の面と交わる点である。
上述の仮想の面と、基準点、及びそこからの視線のずれを概念的に示したのが、図９である。図９に示したＸＹ平面が仮想の面、座標（０，０）の原点が基準点、点線で示したのが視線の動き、座標（Ｘ，Ｙ）で示された点が、他方の目の現在の視線が仮想の面と交わる点である。座標（Ｘ，Ｙ）の座標が、現時点における基準点からの視線のずれを示している。
ずれ検出部１５３Ｄは、撮像素子１１５Ａから受付けた動画信号に対して画像処理を行い、現時点における基準点からの視線のずれを検出し続ける。検出されたそのずれについての情報であるずれ情報は、読み書き部１５３Ｆに送られるようになっている。
【００３７】
知覚情報受付部１５３Ｅは、入力装置１９０から、被測定者が入力装置１９０のボタン１９１を操作することによって生成された知覚情報を受付けるようになっている。知覚情報受付部１５３Ｅはその内容を解析して、それを読み書き部１５３Ｆに送るようになっている。
【００３８】
読み書き部１５３Ｆは、第２記録部１５３Ｇに対するデータの書き込みと、第２記録部１５３Ｇからのデータの読み出しを行う。
第２記録部１５３Ｇに記録されるデータの内容は、以下の通りである。
この実施形態では、第２記録部１５３Ｇには、図１０に示したように、「光源」と「ずれ」と「知覚情報」と名前が付けられた欄が準備されており、横並びになった３つの情報が互いに紐付けられた状態で各情報が各欄に記録される。ここで、「光源」は、多数の光源１１４Ｃの中から各光源１１４Ｃを特定するための情報であり、「ずれ」は、それとセットにされた光源１１４が点灯したときにおける他方の目の視線のずれを特定するための情報であり、「知覚情報」は、それとセットにされた光源１１４Ｃが点灯したときに、被測定者がその点灯した光源１１４Ｃを視認することができたか否かを示す情報である。
【００３９】
読み書き部１５３Ｆは、上述の３つの情報の第２記録部１５３Ｇへの書き込みを以下のようにして行う。
読み書き部１５３Ｆには、上述したように、光源制御部１５３Ｂから、各光源１１４Ｃがいつ点灯させられるかという情報が順次送られてくる。また、読み書き部１５３Ｆには、ずれ検出部１５３Ｄから常に、その時点における視線の基準点からのずれについての情報であるずれ情報が送られてきている。
読み書き部１５３Ｆに、光源制御部１５３Ｂから次に点灯させられる光源１１４Ｃがどれかという情報が送られてきたとする。そして、例えば、その情報が、１の数字が割り振られた光源１１４Ｃを点灯させる、というものだったとする。上述した通り、１の数字が割り振られた光源１１４Ｃは、その情報を読み書き部１５３Ｆが受付けてから（その情報を光源制御部１５３Ｂが送るタイミングと、読み書き部１５３Ｆがそれを受取るタイミングは略同時と見做せる。）２秒後に点灯する。読み書き部１５３Ｆは、１の数字が割り振られた光源１１４Ｃが点灯しているタイミングのずれ情報を、１の数字が割り振られた光源１１４Ｃが点灯しているときの他方の目の視線の基準点からのずれを示す情報として、１の光源１１４Ｃと紐付けられた、「ずれ」の欄のうちの「光源」の１の隣に位置する部分に記録する。図１０に示した例であれば、（  １，  ０）が、ずれを特定する情報として第２記録部１５３Ｇに記録される。これは、１の数字が割り振られた光源１１４Ｃが点灯していたとき、被測定者の他方の目の視線が、上述した仮想の面上で、左右方向で右に１、上下方向で０だけ基準点から移動していた、ということを意味する。
なお、上述したように、光源１１４Ｃの点灯時間にはある程度の長さがある。したがって、読み書き部１５３Ｆにずれ検出部１５３Ｄから、光源１１４Ｃが点灯している間に常時送られてきているずれ情報のいずれを、第２記録部１５３Ｇに記録すべきか問題となる。例えば、光源１１４Ｃが点灯を開始した瞬間のずれ情報、或いは光源１１４Ｃが消灯した瞬間のずれ情報、又は光源１１４Ｃが点灯した瞬間と消灯した瞬間の中間の瞬間のずれ情報を、読み書き部１５３Ｆは第２記録部１５３Ｇに記録するようにすることができる。この実施形態では、読み書き部１５３Ｆは、光源１１４Ｃが点灯を開始した瞬間のずれ情報を第２記録部１５３Ｇに記録するようになっている。
なお、この実施形態では、ずれ情報は、ずれ検出部１５３Ｄから常時読み書き部１５３Ｆに送られてくることとしているが、ずれ検出部１５３Ｄは、読み書き部１５３Ｆに、読み書き部１５３Ｆが第２記録部１５３Ｇに記録をするときに必要な分のずれ情報のみを送るようになっていても構わない。
また、読み書き部１５３Ｆには、１の数字が割り振られた光源１１４Ｃが点灯した後に、入力装置１９０からの入力を受けた知覚情報受付部１５３Ｅから知覚情報が入力されてくる。読み書き部１５３Ｆは、これを受取り、１の光源１１４Ｃと紐付けられた、「知覚情報」の欄うちの「光源」の１の隣に位置する部分に記録する。図１０に示した例であれば、Ｙが、ずれを特定する情報として第２記録部１５３Ｇに記録される。なお、「知覚情報」の欄に記録された「Ｙ」は、被測定者がその欄に紐付けられた「光源」の欄に記録された数字により特定される光源１１４Ｃが点灯したときに、それを視認できたことを示し、同欄に示された「Ｎ」は、被測定者が同様の光源１１４Ｃを視認できなかったことを示す。
【００４０】
読み書き部１５３Ｆは、すべての光源１１４Ｃについて、この実施形態では６１回、以上の処理を繰り返すことにより、第２記録部１５３Ｇ内に、図１０に示されたような、「光源」、「ずれ」、「知覚情報」の３つの情報についての欄を完成させるようになっている。
【００４１】
読み書き部１５３Ｆは、また、第２記録部１５３Ｇに記録された上述の３つの情報を読み出し、それを画像処理部１５３Ｈに送る機能を有している。かかる画像処理部１５３Ｈの情報の送信は、第２記録部１５３Ｇ内に上述の欄が完成した後自動的に行なわれるようになっていても良いし、図示を省略の、例えば制御ボックス１５０に設けられた適当な入力手段からの入力を契機として行なわれるようになっていても構わない。
画像処理部１５３Ｈは、第２記録部１５３Ｇから送られてきた上述の情報に基いて、光源１１４Ｃのそれぞれを、それが表示されたときにおけるずれ情報で特定されるずれをキャンセルするようにそれが表示面１１４Ａ１の上に本来ある位置からずらし、且つその位置での光源１１４Ｃの発光を被測定者が見ることができたか否かを知覚情報に基づき明らかにした、発光したすべての光源１１４Ｃについての画像を含む、被測定者の視野に対応する画像についてのデータである画像データを生成する。
【００４２】
画像データによって表示される画像は、基本的には、図４に示した表示面１１４Ａ１上に多数の光源１１４Ｃが存在するような画像となる。各光源１１４Ｃの位置についての情報は、この実施形態では、画像処理部１５３Ｈが持っているが、画像処理部１５３Ｈはその情報を、その情報が記録された第１記録部１５３Ａ又は第２記録部１５３Ｇから読み出すようになっていても構わない。
ただし、各光源１１４Ｃは、それが点灯したときに、被測定者がそれを視認することができたか、できなかったかを画像上で区別できるようにされる。その区別は、例えば、画像上の光源の上に視認できたかできなかったかを区別する文字又は記号を表示させるようにしても良いし、或いは認識できた光源１１４Ｃと認識できなかった光源１１４Ｃとで色彩を変えるようにしても良い。画像処理部１５３Ｈは、各光源１１４Ｃが視認されたか否かの別を、読み書き部１５３Ｆから送られてきた、第２記録部１５３Ｇ内の「知覚情報」の欄に記録されていた「Ｙ」又は「Ｎ」のデータを用いて、各光源１１１４Ｃ毎に区別することができる。
また、画像データによって表示される画像上の各光源１１４Ｃは、各光源１１４Ｃに割り振られた数字と紐付けられたずれ情報により、その位置を修正される。たとえば、１の数字が割り振られた光源１１４Ｃは、画像上で、１という数字と紐付けられたずれ情報（  １，  ０）により、その位置を修正される。位置の修正は、そのときの他方の目の視線のずれをキャンセルする必要があるため、ずれ情報（  １，  ０）によって特定されるずれとは逆方向にずらすようにして行う。つまり、ある光源１１４Ｃについてのずれ情報が（ｘ，ｙ）なら、画像上のその光源１１４Ｃは、（−ｘ，−ｙ）方向にずらされる。
幾つか例示する。例えば、１の数字が割り振られた光源１１４Ｃは、画像上で、１という数字と紐付けられたずれ情報（  １，  ０）に基いて、（−１，  ０）の方向にずらされる。２の数字が割り振られた光源１１４Ｃは、画像上で、２という数字と紐付けられたずれ情報（  １，  １）に基いて、（−１，−１）の方向にずらされる。３の数字が割り振られた光源１１４Ｃは、画像上で、３という数字と紐付けられたずれ情報（−５，  ６）に基いて、（  ５，−６）の方向にずらされる。４の数字が割り振られた光源１１４Ｃは、画像上で、４という数字と紐付けられたずれ情報（  ０，  ０）に基いて、ずらされない。５の数字が割り振られた光源１１４Ｃは、画像上で、５という数字と紐付けられたずれ情報（  １，  １）に基いて、（−１，−１）の方向にずらされる。
このようにして、すべての光源１１４Ｃが画像上に描画される。
描画された画像の一部の例を、図１１に示す。
図１１中、Ｘが位置を修正された光源１１４Ｃを示す円である。また、破線で示されたＹは位置を修正される前の光源１１４Ｃを示す円である。円Ｙと円Ｘは、その中心を結ぶ線分の分だけずらされているが、その線分は、上述の座標にそれぞれ対応している。また、３と５の数字が割り振られた光源１１４Ｃに対応する円Ｘには網掛けが掛けられており、その他の円Ｘには網掛けが掛けられていない。これは、３と５の数字が割り振られた光源１１４Ｃは、それが点灯したとき被測定者が視認できなかったが、その他の光源１１４Ｃが点灯したときはそれを被測定者が視認できたことを区別して示すものである。
【００４３】
画像処理部１５３Ｈは、生成した画像のデータである画像データを、インターフェイス１５２Ｄ、ケーブルＣ４を介してディスプレイ装置Ｄに送るようになっている。これを受けたディスプレイ装置Ｄは、画像データに対応した画像を表示する。
【００４４】
次に、以上説明した視野測定装置１００の使用方法を説明する。
被測定者は、ヘッドマウント部１１０を頭部に装着する。具体的には、マスク１１１が被測定者の眼前に来るようにしながら、ベルト１１３が後頭部に来るようにして、ヘッドマウント部１１０の頭部への装着を行う。このとき、マスク１１１のどちら側が上でも構わない。
ヘッドマウント部１１０を頭部へ装着すると、第１突出部１１４と第２突出部１１５の一方が被測定者の右目の前に、その他方が被測定者の左目の前に位置する。上述したように、第１突出部１１４の後に位置するのが本願でいう一方の目であり、第２突出部１１５の後に位置するのが本願でいう他方の目である。
【００４５】
この状態で、被測定者の視野測定が開始される。
視野を測定するときには、制御ボックス１５０が生成した制御信号によって制御され、光源１１４Ｃが１つずつ点灯していく。被測定者は、第１レンズ１１４Ｂを介して、一方の目で、光源１１４Ｃが点灯したのを視認しようとする。
制御ボックス１５０が行う光源１１４Ｃの点灯の制御の方法は既に述べた通りである。
簡単に言うと、第１記録部１５３Ａに記録されている、光源１１４Ｃをどの順番で点灯させるか、ということについての情報を光源制御部１５３Ｂが読出す。その情報を受取った光源制御部１５３Ｂは、各光源１１４Ｃの点灯と消灯を指示する制御信号を作りこれを光源１１４Ｃに送る。それにより、６１個の光源１１４Ｃは、第１記録部１５３Ａに記録されていた情報により特定される順番で、順に１回ずつ発光し、消灯する。
【００４６】
他方、被測定者の他方の目は、視野測定が行なわれている間中第２レンズ１１５Ｂを介して撮像素子１１５Ａにより撮像されている。撮像素子１１５Ａは、他方の目を含む動画の動画信号を生成し、それを制御ボックス１５０に送る。
動画信号は、制御ボックス１５０内の動画信号受付部１５３Ｃが受付ける。動画信号受付部１５３Ｃは、受付けた動画信号をずれ検出部１５３Ｄへ送る。動画信号を受付けたずれ検出部１５３Ｄは、被測定者の目のうち撮像素子１１５Ａで撮像されているものが、その時点で、上述の仮想の面上で所定の基準点からどの程度ずれているかを検出し、そのずれを特定するずれ情報を生成する。ずれ情報は、ずれ検出部１５３Ｄから、読み書き部１５３Ｆに送られる。この実施形態では、ずれ情報は、視野測定が行なわれている間常に、読み書き部１５３Ｆに送られる。
【００４７】
被測定者は、光源１１４Ｃが点灯するたびに、入力装置１９０のボタン１９１を操作することにより、点灯した光源１１４Ｃを視認することができたか否かを示す知覚情報を入力する。もっとも、被測定者が、光源１１４Ｃの点灯を視認できなかった場合には、光源１１４Ｃが点灯した事実を被測定者が認識していないことから被測定者が知覚情報をそもそも入力しないことも考えられる。そのようなことを避けるには例えば、光源１１４Ｃを点灯させるのと同時に視野測定装置１００のどこかから音を鳴らすなどして、光源１１４Ｃの点灯があった事実を被測定者に認識させるのが良い。音を鳴らすためのスピーカは例えば、ヘッドマウント部１１０に設けることができるし、制御ボックス１５０内、或いはその外部に設けることも可能である。
なお、入力装置１９０による知覚情報の入力は、被測定者が行なっても良いが、被測定者に付き添った医師等が、被測定者が光源１１４Ｃの点灯を認識できたか否かを光源１１４Ｃの点灯の度に被測定者から聞き取って入力しても構わない。
入力装置１９０で生成された知覚情報は、知覚情報受付部１５３Ｅを介して、読み書き部１５３Ｆに送られる。
【００４８】
読み書き部１５３Ｆは、ずれ情報と、知覚情報とを受取り、光源１１４Ｃが点灯する度に、第２記録部１５３Ｇの、「ずれ」と「知覚情報」の欄に、それらを書き込んでいく。
第２記録部１５３Ｇの「ずれ」の欄に書き込まれる情報は、ある光源１１４Ｃが点灯した時点におけるずれ情報であり、そのずれ情報は、点灯したある光源１１４Ｃに割り振られていた数字に紐付けられた状態で、「ずれ」の欄に書き込まれる。第２記録部１５３Ｇの「知覚情報」の欄に書き込まれる情報は、ある光源１１４Ｃが点灯してから次の光源１１４Ｃが点灯する前に入力された知覚情報であり、その知覚情報は、点灯したある光源１１４Ｃに割り振られていた数字に紐付けられた状態で、「知覚情報」の欄に書き込まれる。
【００４９】
すべての光源１１４Ｃが点灯、消灯を終え、第２記録部１５３Ｇの「ずれ」の欄と、「知覚情報」の欄とが完成したら、この実施形態では、自動的に読み書き部１５３Ｆが、「光源」、「ずれ」、「知覚情報」の各欄に記録された情報を読み出して、それを画像処理部１５３Ｈに送る。
画像処理部１５３Ｈは、それら３つの情報を用いて、視野測定の結果を示す画像についての画像データを生成する。
画像データによって表示される画像は、上述のように、表示面１１４Ａ１上に多数の光源１１４Ｃが存在するような画像となる。また、各光源１１４Ｃは、それが点灯したときに、被測定者がそれを視認することができたか、できなかったかを画像上で区別できるようにされている。また、画像データによって表示される画像上の各光源１１４Ｃは、各光源１１４Ｃに割り振られた数字と紐付けられたずれ情報により、その位置を修正されている。
画像処理部１５３Ｈは、生成した画像のデータである画像データを、インターフェイス１５２Ｄ、ケーブルＣ４を介してディスプレイ装置Ｄに送る。これを受けたディスプレイ装置Ｄは、画像データに対応した画像を表示する。医師等はその画像を見て、被測定者の一方の目の視野測定の結果を確認する。
【００５０】
次いで、被測定者は、ヘッドマウント部１１０の天地を逆にし、ヘッドマウント部１１０を装着し直す。そうすると、第１突出部１１４と第２突出部１１５のうち右目の前にあったものが左目の前に、第１突出部１１４と第２突出部１１５のうち左目の前にあったものが右目の前に来ることになる。この場合においても、第１突出部１１４の後に位置するのが本願でいう一方の目であり、第２突出部１１５の後に位置するのが本願でいう他方の目である。
つまり、ヘッドマウント部１１０の天地を逆にし、ヘッドマウント部１１０を装着し直すことで、被測定者の、本願で言う一方の目と他方の目が入れ替わる。
この状態で、新たな一方の目についての視野測定を行う。
視野測定の方法は、上述した通りである。
【００５１】
≪第２実施形態≫
次に、第２実施形態の視野測定装置１００について説明する。
第２実施形態の視野測定装置１００は、第１実施形態における視野測定装置１００と概ね同様の構成を採用している。端的に言えば、第２実施形態における視野測定装置１００は、第１実施形態におけるヘッドマウント部１１０に含まれていた表示板１１４Ａを、後述するディスプレイに置き換えたものとなっている。
【００５２】
第２実施形態の視野測定装置１００は、第１実施形態の場合と同様に、ヘッドマウント部１１０と、制御ボックス１５０とを備えており、制御ボックス１５０は、ケーブルＣ３で入力装置１９０と、ケーブルＣ４でディスプレイ装置Ｄと接続されている。
【００５３】
第２実施形態のヘッドマウント部１１０の構成は、第１実施形態の場合と略同様である。ヘッドマウント部１１０と制御ボックス１５０は、第１実施形態の場合と同様に、ケーブルＣ１とケーブルＣ２で接続されている。
第２実施形態のヘッドマウント部１１０が第２実施形態のヘッドマウント部１１０と異なるのは、上述のように、第１実施形態におけるヘッドマウント部１１０の第１突出部１１４に含まれていた表示板１１４Ａが、ディスプレイ１１４Ｄに置き換えられている、という点である（図１２）。ディスプレイ１１４Ｄは、例えば、液晶ディスプレイ、有機ＥＬディスプレイなどで構成されており、被測定者は、第１レンズ１１４Ｂを介して、第１実施形態で表示板１１４Ａの表示面１１４Ａ１を見たのと同様に、ディスプレイ１１４Ｄの画面を見ることとなる。
第１実施形態では、表示板１１４Ａに設けられた光源１１４Ｃの点灯を被測定者が視認できるか否かによって被測定者の視野測定が行われた。第２実施形態では、後述するように、ディスプレイ１１４Ｄの様々な位置に光の点である光点が表示されるようになっており、被測定者がそれら光点のうちのどれを視認でき、どれを視認できなかったかにより、被測定者の視野測定がなされる。
【００５４】
次に、第２実施形態の制御ボックス１５０の構成について説明する。
第２実施形態の制御ボックス１５０は、第１実施形態の制御ボックス１５０と略同様に構成されている。特に、そのハードウエア構成については、第１実施形態の場合と変わらない。
ＣＰＵ１５２Ａがプログラムを実行することにより、第２実施形態の制御ボックス１５０内には、図１３で示されたような機能ブロックが生成される。
制御ボックス１５０内に生成される機能ブロックは、第３記録部１５５Ａ、ディスプレイ制御部１５５Ｂ、動画信号受付部１５５Ｃ、ずれ検出部１５５Ｄ、知覚情報受付部１５５Ｅ、読み書き部１５５Ｆ、第４記録部１５５Ｇ、及び画像処理部１５５Ｈである。
これらのうち、第３記録部１５５Ａ、ディスプレイ制御部１５５Ｂ、読み書き部１５５Ｆ、第４記録部１５５Ｇ、及び画像処理部１５５Ｈは、第１実施形態における第１記録部１５３Ａ、光源制御部１５３Ｂ、読み書き部１５３Ｆ、第２記録部１５３Ｇ、及び画像処理部１５３Ｈと、略対応するものとなっているが、第１実施形態における表示板１１４Ａが、ディスプレイ１１４Ｄに置き換えられていることに対応した変更が施されている。また、第２実施形態における動画信号受付部１５５Ｃ、ずれ検出部１５５Ｄ、知覚情報受付部１５５Ｅは、第１実施形態における動画信号受付部１５３Ｃ、ずれ検出部１５３Ｄ、知覚情報受付部１５３Ｅと同じ機能を有するものとされている。
【００５５】
第３記録部１５５Ａには、ディスプレイ１１４Ｄに表示される光点を、ディスプレイ１１４Ｄのどこに、どのような順序で表示するか、という情報が書き込まれている。これには限られないが、光点の形状、大きさは、第１実施形態の光源１１４Ｃに倣ったものとされている。
光点は、ディスプレイ１１４Ｄに、ディスプレイ１１４Ｄの様々な位置に順次表示された光点のすべてを被測定者が視認することができたのであれば、被測定者の視野が正常と一般的に判断できるような範囲に、適当な数だけ表示される。これには限られないが、第２実施形態におけるディスプレイ１１４Ｄの画面は第１実施形態における表示板１１４Ａに対応した大きさであるものとし、また、第２実施形態における光点は、ディスプレイ１１４Ｄ上に、第１実施形態の場合と同様に６１個表示されるものとし、更に各光点は、それらのディスプレイ１１４Ｄに対する相対的な位置が、第１実施形態における各光源１１４Ｃの表示面１１４Ａ１に対する相対的な位置と一致するように、ディスプレイ１１４Ｄの画面に表示されるものとする。つまり、第２実施形態における光点が担う役割は、第１実施形態における光源１１４Ｃが担う役割と同じである。
第３記録部１５５Ａに記録された、ディスプレイ１１４Ｄに表示される光点を、ディスプレイ１１４Ｄのどこに、どのような順序で表示するか、という情報は、具体的には、例えば図１４に示したようなものとなっている。第３記録部１５５Ａに記録された情報は、この実施形態では、各光点が表示されるディスプレイ１１４Ｄの画面上の位置を特定する座標と、各光点が表示される順番とを組合せたデータとなっている。ディスプレイ１１４Ｄの画面上の座標は、例えば、図１５に示したようなｘｙ座標により表記される。図１４に示された情報には、「光点」、「座標」、「順序」の項目がある。横並びになった「光点」、「座標」、「順序」の各内容は、互いに紐付けられている。
「光点」には、１〜６１の数字が書き込まれている。この数字は、第１実施形態の光源１１４Ｃのそれぞれに対応する各光源１１４Ｃを特定するための数字に対応するものであり、各光点を特定するものである。「座標」の欄に書き込まれた情報は、ディスプレイ１１４Ｄの画面上の座標を特定するものであり、それら座標と紐付けられた各光点が、ディスプレイ１１４Ｄの画面上のどこに表示されるかを示している。「順序」の欄には、１〜６１の数字が一度ずつ書き込まれている。これらは、その数字に紐付けられた各光点が、何番目に表示されるかを示している。
ディスプレイ１１４Ｄに表示される光点を、ディスプレイ１１４Ｄのどこに、どのような順序で表示するか、という情報は、ディスプレイ制御部１５５Ｂに送られるようになっている。
なお、光点を、ディスプレイ１１４Ｄのどこに、どのような順序で表示するか、という情報が複数組準備されていても良いし、座標或いは順序がランダムに決定されても良いことは第１実施形態と同様である。
【００５６】
ディスプレイ制御部１５５Ｂは、光点を、ディスプレイ１１４Ｄのどこに、どのような順序で表示するかという情報を受取り、その情報が指定するディスプレイ１１４Ｄの画面上の座標に、その情報が指定する順序で、光点を表示させるようになっている。上述の情報は、第１実施形態の場合と同様、一括して受け取るようになっていても構わないし、そうでなくても良い。
この実施形態では、「順序」の欄に記載の数字の小さいものから、それと紐付けられた「座標」のデータが１つずつ読み出され、ディスプレイ制御部１５５Ｂに送られるようになっている。ディスプレイ制御部１５５Ｂは、その座標により指定されたディスプレイ１１４Ｄの画面上の座標に、光点を表示させるためのディスプレイ制御信号を生成し、それをケーブルＣ１を介してディスプレイ１１４Ｄに送る。それを受付けたディスプレイ１１４Ｄの画面には、ディスプレイ制御信号により指定された座標に光点が表示される。
光点が表示されるタイミング、及び光点が表示される時間は、第１実施形態において光源１１４Ｃが点灯させられるタイミング、及び光源１１４Ｃが点灯してから消灯するまでの時間に倣うことができ、この実施形態ではそうされている。
ディスプレイ制御部１５５Ｂは、光点の表示を制御する信号であるディスプレイ制御信号を送り、交点の表示を制御する。
また、ディスプレイ制御部１５５Ｂは、各光点をいつディスプレイ１１４Ｄの画面に表示させるかという情報を、読み書き部１５５Ｆに順次送る。この情報は、例えば、次に点灯する光点を特定する、各光点に割り振られた６１個分の数字の情報でも良いし、次に点灯する光点のディスプレイ１１４Ｄの画面上の座標の情報でも構わない。
【００５７】
動画信号受付部１５５Ｃ、ずれ検出部１５５Ｄ、及び知覚情報受付部１５５Ｆの機能は、上述の通りである。
【００５８】
読み書き部１５５Ｆは、第４記録部１５５Ｇに対するデータの書き込みと、第４記録部１５５Ｇからのデータの読み出しを行う。
第４記録部１５５Ｇに記録されるデータの内容は、以下の通りである。なお、以下の例は、ディスプレイ制御部１５５Ｂが読み書き部１５５Ｆに送る、各光点をいつディスプレイ１１４Ｄの画面に表示させるかという情報が、次に点灯する光点を特定する、各光点に割り振られた６１個分の数字の情報である場合についてのものである。
この実施形態では、第４記録部１５５Ｇには、「光点」と「ずれ」と「知覚情報」と名前が付けられた欄が準備されており（図１６）、横並びの３つの情報が互いに紐付けられた状態で各欄に記録される。「光点」と「ずれ」と「知覚情報」に記録される情報は概ね第１実施形態の第２記録部１５３Ｇに記録された「光源」と「ずれ」と「知覚情報」の内容と対応する。ここで、「光点」は、ディスプレイ１１４Ｄの画面に表示される多数の光点の中から各光点を特定するための情報であり、「ずれ」は、それとセットにされた光点が点灯したときにおける他方の目の視線のずれを特定するための情報であり、「知覚情報」は、それとセットにされた交点がディスプレイ１１４Ｄが表示されたときに、被測定者がその交点を視認することができたか否かを示す情報である。
【００５９】
読み書き部１５５Ｆは、上述の３つの情報の第４記録部１５５Ｇへの書き込みを以下のようにして行う。
読み書き部１５５Ｆには、上述したように、ディスプレイ制御部１５５Ｂから、各交点がいつ点灯させられるかという情報が順次送られてくる。また、読み書き部１５５Ｆには、ずれ検出部１５５Ｄから常に、その時点における視線の基準点からのずれについての情報であるずれ情報が送られてきている。
読み書き部１５５Ｆに、ディスプレイ制御部１５５Ｂから次に点灯させられる交点がどれかという情報が送られてきたとする。そして、例えば、その情報が、１の数字が割り振られた光点をディスプレイ１１４Ｄの画面上に表示させる、というものだったとする。第１実施形態と同様、１の数字が割り振られた光点はその情報を読み書き部１５５Ｆが受付けてから２秒後にディスプレイ１１４Ｄに表示される。読み書き部１５５Ｆは、１の数字が割り振られた光点が点灯しているタイミングのずれ情報を、１の光点と紐付けられた、「ずれ」の欄のうちの「光点」の１の隣に位置する部分に記録する。図１６に示した例であれば、（  １，  ０）が、ずれを特定する情報として第４記録部１５５Ｇに記録される。これは、１の数字が割り振られた光点がディスプレイ１１４Ｄに表示されていたとき、被測定者の他方の目の視線が、上述した仮想の面上で、左右方向で右に１、上下方向で０だけ基準点から移動していた、ということを意味する。
なお、光点の表示されている時間には、第１実施形態における光源１１４Ｃの点灯している時間と同様に、ある程度の長さがあるが、ずれ情報のいずれを第４記録部１５５Ｇに記録するかは、第１実施形態の場合に倣うことができる。
また、読み書き部１５５Ｆには、１の数字が割り振られた光点がディスプレイ１１４Ｄの画面上に表示された後に、入力装置１９０からの入力を受けた知覚情報受付部１５５Ｅから知覚情報が入力されてくる。読み書き部１５５Ｆは、これを受取り、１の光点と紐付けられた、「知覚情報」の欄うちの「光点」の１の隣に位置する部分に記録する。
【００６０】
読み書き部１５５Ｆは、すべての光点について、この実施形態では６１回、以上の処理を繰り返すことにより、第４記録部１５５Ｇ内に、図１６に示されたような、「光点」、「ずれ」、「知覚情報」の３つの情報についての欄を完成させるようになっている。
【００６１】
読み書き部１５５Ｆは、また、第４記録部１５５Ｇに記録された上述の３つの情報を読み出し、それを画像処理部１５５Ｈに送る機能を有している。
画像処理部１５５Ｈは、第４記録部１５５Ｇから送られてきた上述の情報に基いて、光点のそれぞれを、それが表示されたときにおけるずれ情報で特定されるずれをキャンセルするようにそれがディスプレイ１１４Ｄの画面の上に本来ある位置からずらし、且つその位置での光点を被測定者が見ることができたか否かを知覚情報に基づき明らかにした、発光したすべての光点についての画像を含む、被測定者の視野に対応する画像についてのデータである画像データを生成する。
【００６２】
画像データによって表示される画像は、基本的には、第１実施形態の場合と同様の手順で作成され、結果として、第１実施形態の場合と同様のものとなる。第２実施形態で作られる画像と、第１実施形態で作られる画像の間には、表示面１１４Ａ１がディスプレイ１１４Ｄの画面に置き換えられ、光源１１４Ｃが光点に置き換えられただけの違いしか無い。
各光点のディスプレイ１１４Ｄの画面上に表示された位置（ディスプレイ１１４Ｄの画面上の座標）についての情報は、画像処理部１５５Ｈが持っていても良いが、この実施形態では、画像処理部１５５Ｈは、第３記録部１５５Ａから、光点を特定する１〜６１の数字にそれぞれ紐付けられた座標のデータを読み出すようになっている。
ただし、各光点は、画像上で、それが表示されたときに、被測定者がそれを視認することができたか、できなかったかを画像上で区別できるようにされる。その区別の方法は、第１実施形態に倣う。
また、画像データによって表示される画像上の各光点は、第１実施形態において各光源１１４Ｃの位置を画像上で修正したのと同じ手法により、画像上でその位置を修正される。
【００６３】
画像処理部１５５Ｈは、生成した画像のデータである画像データを、インターフェイス１５２Ｄ、第４ケーブルＣ４を介してディスプレイ装置Ｄに送るようになっている。これを受けたディスプレイ装置Ｄは、画像データに対応した画像を表示する。
【００６４】
以上説明した第２実施形態の視野測定装置１００の使用方法は、第１実施形態の視野測定装置１００の使用方法と同様である。
【００６５】
なお、以上の第２実施形態の説明では、ディスプレイ制御部１５５Ｂが読み書き部１５５Ｆに送る、各光点をいつディスプレイ１１４Ｄの画面に表示させるかという情報は、次に点灯する光点を特定する、各光点に割り振られた６１個分の数字の情報であった。もっとも、ディスプレイ制御部１５５Ｂが読み書き部１５５Ｆに送る、各光点をいつディスプレイ１１４Ｄの画面に表示させるかという情報は、上述した通り、次に点灯する光点のディスプレイ１１４Ｄの画面上の座標の情報でも構わない。つまり、第２実施形態は以下の変形例のように変形することができる。
変形例による視野測定装置１００では、第４記録部１５５Ｇには、「座標」と「ずれ」と「知覚情報」が記録される（図１７）。各光点がディスプレイ１１４Ｄの画面に表示されるときの座標は、各光点に割り振られた数字と同様に各光点と一対一で対応しているので、上記座標によっても各光点を特定することができる。
この場合、読み書き部１５５Ｆは、「座標」と「ずれ」と「知覚情報」を、画像処理部１５５Ｈに送る。この場合には、各光点の座標が画像処理部１５５Ｈに送られてくるのであるから、画像処理部１５５Ｈはそれが各光点の座標についての情報を持っていなくとも、或いは各光点の座標を第３記録部１５５Ａから読み出さなくとも、上述したのと同様の画像を生成することができる。
【００６６】
≪第３実施形態≫
次に、第３実施形態の視野測定装置１００について説明する。
第３実施形態の視野測定装置１００は、第２実施形態における視野測定装置１００と概ね同様の構成を採用している。
【００６７】
第３実施形態の視野測定装置１００は、第２実施形態の場合と同様に、ヘッドマウント部１１０と、制御ボックス１５０とを備えており、制御ボックス１５０は、ケーブルＣ３で入力装置１９０と、ケーブルＣ４でディスプレイ装置Ｄと接続されている。
第３実施形態のヘッドマウント部１１０の構成は、第２実施形態の場合と同様である。ヘッドマウント部１１０と制御ボックス１５０は、第１実施形態の場合と同様に、ケーブルＣ１とケーブルＣ２で接続されている。
第３実施形態のヘッドマウント部１１０は、第２実施形態のヘッドマウント部１１０と同様に、第１突出部１１４にディスプレイ１１４Ｄを備えている。
【００６８】
第３実施形態の制御ボックス１５０は、第２実施形態の制御ボックス１５０と略同様に構成されている。特に、そのハードウエア構成については、第１実施形態の場合と変わらない。
ＣＰＵ１５２Ａがプログラムを実行することにより、第３実施形態の制御ボックス１５０内には、図１８で示されたような機能ブロックが生成される。
制御ボックス１５０内に生成される機能ブロックは、第３記録部１５５Ａ、ディスプレイ制御部１５５Ｂ、動画信号受付部１５５Ｃ、ずれ検出部１５５Ｄ、知覚情報受付部１５５Ｅ、読み書き部１５５Ｆ、第５記録部１５５Ｉ、及び画像処理部１５５Ｈである。
これらのうち、第３記録部１５５Ａ、動画信号受付部１５５Ｃ、ずれ検出部１５５Ｄ、知覚情報受付部１５５Ｅの機能は、第２実施形態と同様である。第２実施形態とその機能が顕著に異なるのは、ディスプレイ制御部１５５Ｂであり、その機能の相違により、読み書き部１５５Ｆ、及び画像処理部１５５Ｈの機能は第２実施形態におけるそれらとその機能が変わっており、また第２実施形態の第４記録部１５５Ｇは第５記録部１５５Ｉに置き換えられている。
【００６９】
第３記録部１５５Ａには、ディスプレイ１１４Ｄに表示される光点を、ディスプレイ１１４Ｄのどこに、どのような順序で表示するか、という情報が書き込まれている。これには限られないが、その情報は第２実施形態で説明したものと同様である。第３記録部１５５Ａには、「光点」、「座標」、「順序」の項目が設けられている。
ディスプレイ１１４Ｄに表示される光点を、ディスプレイ１１４Ｄのどこに、どのような順序で表示するか、という情報は、ディスプレイ制御部１５５Ｂに送られるようになっている。
【００７０】
ディスプレイ制御部１５５Ｂは、光点を、ディスプレイ１１４Ｄのどこに、どのような順序で表示するかという情報を受取り、その情報を使って、ディスプレイ１１４Ｄの画面上の座標に、光点を表示するものとなっている。ただし、この実施形態のディスプレイ制御部１５５Ｂは、第２実施形態のディスプレイ制御部１５５Ｂが、光点をディスプレイ１１４Ｄのどこに、どのような順序で表示するかという情報が指定するディスプレイ１１４Ｄの画面上の座標に、そのまま光点を表示させるようになっていたのに対し、ディスプレイ１１４Ｄのどこに、どのような順序で表示するかという情報により指定される座標に対して修正を加え、ディスプレイ１１４Ｄの画面上の上記修正がなされた後の座標に、光点を表示させるようになっている。
なお、光点をディスプレイ１１４Ｄの画面に表示するタイミングは第２実施形態と同じで良く、第３実施形態でもそうしている。
以下、表示される光点のディスプレイ１１４Ｄの画面上での座標の修正方法について説明する。
【００７１】
第３実施形態の視野測定装置１００の制御ボックス１５０の中にも、動画信号受付部１５５Ｃと、ずれ検出部１５５Ｄが存在している。これらの機能は、第２実施形態の場合と同様である。
ただし、第３実施形態の視野測定装置１００では、ずれ検出部１５５Ｄが生成したずれ情報は、読み書き部１５５Ｆでなく、ディスプレイ制御部１５５Ｂに送られるようになっている。
ディスプレイ制御部１５５Ｂは、ずれ検出部１５５Ｄからずれ情報を、視野測定が行なわれている間中受取るようになっている。そして、ディスプレイ制御部１５５Ｆは、次にディスプレイ１１４Ｄに表示される光点の座標を、光点をディスプレイ１１４Ｄのどこに、どのような順序で表示するかという既に受け取っている情報によって指定されていたディスプレイ１１４Ｄの画面上の座標から、ずれ情報に対応した方向と距離の分だけずらし、ディスプレイ１１４Ｄの画面のその修正後の座標に光点を表示させるためのディスプレイ制御信号を生成する。ディスプレイ制御部１５５Ｂは、そのディスプレイ制御信号をディスプレイ１１４Ｄに送り、ディスプレイ１１４Ｄは、その画面のディスプレイ制御信号で指定された修正後の座標に、光点を表示させる。ディスプレイ制御部１５５Ｂがディスプレイ制御信号を生成するにあたって光点の座標を修正するのは、実質的に、ディスプレイ１１４Ｄに光点が表示される（光点の表示が開始される）のと同時といえるタイミングである。したがって、ディスプレイ１１４Ｄの画面に表示される光点は、その座標が、光点をディスプレイ１１４Ｄのどこに、どのような順序で表示するかという情報により本来表示されるはずだった座標から、他方の目の視線のずれに対応した分だけずれた状態となる。
なお、この場合にディスプレイ制御部１５５Ｂが実行する座標の修正は、ディスプレイ１１４Ｄのどこに、どのような順序で表示するかという情報により本来表示されるはずだった座標が（Ｘ，Ｙ）であり、その修正に用いられるずれ情報が（ｘ，ｙ）であったときに、（Ｘ＋ｘ，Ｙ＋ｙ）として実行される。つまり、この場合には、第１実施形態、第２実施形態の場合のように、ずれ情報の反転を行なわない。
【００７２】
ディスプレイ制御部１５５Ｂは、上述のように、ディスプレイ制御信号をディスプレイ１１４Ｄに送る。また、ディスプレイ制御部１５５は、次にディスプレイ１１４Ｄに表示される光点を特定するための情報を第５記録部１５５Ｉに送る。この情報は、例えば、各光点を特定するために各光点に割振られた１〜６１の数字である。
また、読み書き部１５５Ｆには、ディスプレイ１１４Ｄに光点が表示される度に、第２実施形態の場合と同様に、第２実施形態の場合と同じ機能を有する知覚情報受付部１５５Ｅから知覚情報が送られてくるようになっている。
読み書き部１５５Ｆは、それらの情報を互いに紐付けて第５記録部１５５Ｉに保存する。第５記録部１５５Ｉに記録される情報は、例えば図１９に示されたようなものとなる。
第５記録部１５５Ｉには、図１９に示したように、「光点」の欄と、「知覚情報」の欄とが設けられており、「光点」の欄には、各光点を特定するための情報が、また「知覚情報」の欄には、それと横並びの数字で特定される光点がディスプレイ１１４Ｄの画面上に表示されたときに被測定者がその光点を視認することができたか否かを示す知覚情報が記録されることになる。
第２実施形態の場合と同様に、光点は６１回ディスプレイ１１４Ｄの画面に表示されるので、「光点」の欄と、「知覚情報」の欄にはともに、最終的には６１個の情報が書き込まれる。
【００７３】
読み書き部１５５Ｆは、第５記録部１５５Ｉに対するデータの書き込みだけでなく、第５記録部１５５Ｉからのデータの読み出しをも行うようになっている。読み書き部１５５Ｆは、第５記録部１５５Ｉに記録された上述の２つの情報を読み出し、それを画像処理部１５５Ｈに送る機能を有している。
画像処理部１５５Ｈは、第５記録部１５５Ｆから送られてきた上述の情報に基いて、光点のそれぞれを、それがディスプレイ１１４Ｄ上に表示された位置に描画された画像についての画像データを生成する。そのとき、画像処理部１５５Ｈは、各光点の座標についての情報を、第３記録部１５５Ａから読み出して、その情報を用いて各光点を画像上に描画する。画像処理部１５５Ｈが作る画像上では、第２実施形態の場合と同様、各光点を被測定者が見ることができたか否かを知覚情報に基づき明らかにする。
この実施形態の場合は、ディスプレイ１１４Ｄに表示された光点は、その位置が既に被測定者の他方の目の視線のずれにより修正されているので、第１実施形態及び第２実施形態の場合と異なり、ここで改めてその座標を修正する必要はない。
【００７４】
画像処理部１５５Ｈは、生成した画像のデータである画像データを、インターフェイス１５２Ｄ、第４ケーブルＣ４を介してディスプレイ装置Ｄに送るようになっている。これを受けたディスプレイ装置Ｄは、画像データに対応した画像を表示する。
【００７５】
以上説明した第３実施形態の視野測定装置１００の使用方法は、第２実施形態の視野測定装置１００の使用方法と同様である。
【００７６】
なお、以上の第３実施形態の説明では、ディスプレイ制御部１５５Ｂが、各光点を特定するための情報として、各光点に割振られた１〜６１の数字を読み書き部１５５Ｆに送り、読み書き部１５５Ｆはそれを各光点を特定する情報として第５記録部１５５Ｉに書き込むこととしていた。
これに代えて、ディスプレイ制御部１５５Ｂは、読み書き部１５５Ｆに、各光点を特定するための情報として、各光点の本来表示されるはずだった座標についての第３記録部１５５Ａに記録されていた情報を送ることも可能である。この場合、読み書き部１５５Ｆは、第５記録部１５５Ｉに、各光点の座標と、知覚情報とを互いに紐付けて記録することになる。
この場合、読み書き部１５５Ｆは、第５記録部１５５Ｉに記録されている各光点の座標と、知覚情報とを画像処理部１５５Ｈに送るようにすることができる。そうすることにより画像処理部１５５Ｈは、各光点の本来表示されるはずだった座標についての情報を第３記録部１５５Ａから読み出すことなく、上述のものと同じ画像を生成することができる。
この場合の機能ブロック図を図２０に示す。
【００７７】
≪第４実施形態≫
第４実施形態の視野測定装置１００は、第１実施形態の視野測定装置１００と基本的に同じものである。
第４実施形態の視野測定装置１００が第１実施形態の視野測定装置１００と異なるのは、第４実施形態の視野測定装置１００は、第１実施形態の視野測定装置１００が備えていた第１記録部１５３Ａを備えず、その代わりに第１実施形態の視野測定装置１００が備えていなかった光源情報受付部１５３Ｊを備えているという点である（図２１）。光源情報受付部１５３Ｊは、図示を省略の光源情報入力装置から、光源情報を受付けるためのものである。
光源情報入力装置は、例えばキーボード、或いはテンキーであり、制御ボックス１５０と一体に構成されるか、或いは制御ボックス１５０に接続されている。光源情報入力装置は、例えば医師が操作する。
また光源情報は、第１実施形態において第１記録部１５３Ａに記録されていた情報と基本的に同様のものであり、光源１１４Ｃをどの順番で点灯させるか、ということについての情報である。もっとも光源情報は、光源１１４Ｃが点灯する度に１つずつ入力され、その次に点灯させる光源１１４Ｃを特定する情報とされる。第１実施形態の「光源１１４Ｃをどの順番で点灯させるか、ということについての情報」の場合と同様に、光源情報は例えば、１〜６１までの数字のいずれかとすることができる。
光源情報受付部１５３Ｊは受取った光源情報を、光源制御部１５３Ｂに送るようになっている。
【００７８】
第４実施形態の視野測定装置１００の光源制御部１５３Ｂは、第１実施形態の光源制御部１５３Ｂと同様に光源１１４Ｃを１つずつ順に点灯させる。ただし、第４実施形態の視野測定装置では、発光させる光源１１４Ｃの特定は、第１記録部から送られた情報に従う第１実施形態の場合と異なり、光源情報受付部１５３Ｊから送られた光源情報に従う。
【００７９】
≪第５実施形態≫
第５実施形態の視野測定装置１００は、第２実施形態の視野測定装置１００と基本的に同じものである。より正確には、第２実施形態の変形例による視野測定装置１００と基本的に同じものである。
第５実施形態の視野測定装置１００が第２実施形態の視野測定装置１００と異なるのは、第５実施形態の視野測定装置１００は、第２実施形態の視野測定装置１００が備えていた第３記録部１５５Ａを備えず、その代わりに第２実施形態の視野測定装置１００が備えていなかった光点情報受付部１５５Ｊを備えているという点である（図２２）。光点情報受付部１５５Ｊは、図示を省略の光点情報入力装置から、光点情報を受付けるためのものである。
光点情報入力装置は、例えばキーボード、或いはテンキーであり、制御ボックス１５０と一体に構成されるか、或いは制御ボックス１５０に接続されている。光点情報入力装置は、例えば医師が操作する。
また光源情報は、第２実施形態において第３記録部１５５Ａに記録されていた情報と基本的に同様のものであり、ディスプレイ１１４Ｄに表示される光点を、ディスプレイ１１４Ｄのどこに、どのような順序で表示するか、という情報である。もっとも光点情報は、光点がディスプレイ１１４Ｄに表示される度に１つずつ入力され、その次に表示される光点の位置を特定する情報とされる。第２実施形態の「ディスプレイ１１４Ｄに表示される光点を、ディスプレイ１１４Ｄのどこに、どのような順序で表示するか、という情報」の場合と同様に、光点情報は例えば、ディスプレイ１１４Ｄの画面上での位置を特定する座標の情報とすることができる。光点情報は、例えば、予め準備された６１個の座標の中から順に選択されるようになっていても構わない。
光点情報受付部１５５Ｊは受取った光点情報を、ディスプレイ制御部１５５Ｂに送るようになっている。光点情報はまた、ディスプレイ制御部１５５Ｂを介して読み書き部１５５Ｆに送られ、図１７に示された例の場合と同様に、第４記録部１５５Ｇに記録される。
【００８０】
第５実施形態の視野測定装置１００のディスプレイ制御部１５５Ｂは、第２実施形態のディスプレイ制御部１５５Ｂと同様に光点をディスプレイ１１４Ｄ上に１つずつ順に表示する。ただし、第５実施形態の視野測定装置では、ディスプレイ１１４Ｄに表示される光点の座標の特定は、第３記録部１５５Ａから送られた情報に従う第２実施形態の場合と異なり、光点情報受付部１５５Ｊから送られた光点情報に従う。
また、第５実施形態の画像処理部１５５Ｈは、第２実施形態の変形例で説明したのと同様の方法で、画像のデータを生成する。その場合には第２実施形態の変形例の場合と同様に、「座標（光点情報）」と「ずれ」と「知覚情報」が第４記録部１５５Ｇから読み出されることになる。
【００８１】
≪第６実施形態≫
第６実施形態の視野測定装置１００は、第３実施形態の視野測定装置１００と基本的に同じものである。
第６実施形態の視野測定装置１００が第３実施形態の視野測定装置１００と異なるのは、第６実施形態の視野測定装置１００は、第３実施形態の視野測定装置１００が備えていた第３記録部１５５Ａを備えず、その代わりに第３実施形態の視野測定装置１００が備えていなかった光点情報受付部１５５Ｊを備えているという点である（図２３）。光点情報受付部１５５Ｊは、図示を省略の光点情報入力装置から、光点情報を受付けるためのものである。
光点情報入力装置と、光点情報の内容は、第５実施形態の場合と同様である。
光点情報受付部１５５Ｊは受取った光点情報を、ディスプレイ制御部１５５Ｂに送るようになっている。
【００８２】
第６実施形態の視野測定装置１００のディスプレイ制御部１５５Ｂは、第３実施形態のディスプレイ制御部１５５Ｂと同様に光点をディスプレイ１１４Ｄ上に１つずつ順に表示する。そのときに、光点情報は、第３実施形態における「光点をディスプレイ１１４Ｄのどこに、どのような順序で表示するかという情報」と同じ方法で利用される。
【符号の説明】
【００８３】
１００  視野測定装置
１１０  ヘッドマウント部
１１１  マスク
１１４  第１突出部
１１４Ａ  表示板
１１４Ａ１  表示面
１１４Ｃ  光源
１１５  第２突出部
１５０  制御ボックス
１５３Ａ  第１記録部
１５３Ｂ  光源制御部
１５３Ｃ  動画信号受付部
１５３Ｄ  ずれ検出部
１５３Ｅ  知覚情報受付部
１５３Ｆ  読み書き部
１５３Ｇ  第２記録部
１５３Ｈ  画像処理部
１５５Ａ  第３記録部
１５５Ｂ  ディスプレイ制御部
１５５Ｃ  動画信号受付部
１５５Ｄ  ずれ検出部
１５５Ｅ  知覚情報受付部
１５５Ｆ  読み書き部
１５５Ｇ  第４記録部
１５５Ｈ  画像処理部
１５５Ｉ  第５記録部
１９０  入力装置
【図１】
2014128493.tif 000003
【図２】
2014128493.tif 000004
【図３】
2014128493.tif 000005
【図４】
2014128493.tif 000006
【図５】
2014128493.tif 000007
【図６】
2014128493.tif 000008
【図７】
2014128493.tif 000009
【図８】
2014128493.tif 000010
【図９】
2014128493.tif 000011
【図１０】
2014128493.tif 000012
【図１１】
2014128493.tif 000013
【図１２】
2014128493.tif 000014
【図１３】
2014128493.tif 000015
【図１４】
2014128493.tif 000016
【図１５】
2014128493.tif 000017
【図１６】
2014128493.tif 000018
【図１７】
2014128493.tif 000019
【図１８】
2014128493.tif 000020
【図１９】
2014128493.tif 000021
【図２０】
2014128493.tif 000022
【図２１】
2014128493.tif 000023
【図２２】
2014128493.tif 000024
【図２３】
2014128493.tif 000025